(57)【要約】【課題】より少ないリソースで実現することができるとともに、より容易に、またより簡単に操作する。【解決手段】表示制御部１０１は、使用者の操作に応じて選択された項目である選択項目と、選択項目が属する階層である選択階層の１つ下の階層である注目階層の項目のうち、選択のために注目している項目である注目項目を含む、選択項目の子供である項目と、注目階層の１つ下の階層に属する項目であって、注目項目の子供である項目とを、階層毎の列であって、階層の順の列に配置させるように、メニューの表示を制御する。実行制御部１０２は、メニューの項目のうち、処理の実行を指示するための項目が使用者の操作に応じて選択された場合、選択された項目に応じた処理の実行を制御する。本発明は、AVアンプリファイアに適用できる。【選択図】図３
2008071060.tif 000002
【特許請求の範囲】
【請求項１】
階層化されている項目からなるメニューを表示させ、前記メニューの項目の選択に応じて画像および音声の信号を処理するAV（Audio Visual）アンプリファイアにおいて、
使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御する表示制御手段と、
前記メニューの項目のうち、処理の実行を指示するための項目が前記使用者の操作に応じて選択された場合、選択された項目に応じた処理の実行を制御する実行制御手段と
を備えるAVアンプリファイア。
【請求項２】
前記表示制御手段は、前記注目項目を表示画面の中央の領域に配置させるように、前記メニューの表示を制御する
請求項１に記載のAVアンプリファイア。
【請求項３】
前記表示制御手段は、前記注目項目と異なる項目が注目された場合、その注目された項目の前記表示画面の中央の領域への移動に応じて、表示されている項目を前記表示画面において連続的に移動させるように、前記メニューの表示を制御する
請求項２に記載のAVアンプリファイア。
【請求項４】
前記表示制御手段は、前記選択項目と前記注目項目とを隣接させるように、前記メニューの表示を制御する
請求項１に記載のAVアンプリファイア。
【請求項５】
前記表示制御手段は、画像および音声の前記信号の選択の処理の実行を指示するための項目と、動作の設定の処理の実行を指示するための項目とを含む前記メニューの表示を制御する
請求項１に記載のAVアンプリファイア。
【請求項６】
前記表示制御手段は、画像の前記信号による画像と共に前記メニューを表示させるように、前記メニューの表示を制御する
請求項１に記載のAVアンプリファイア。
【請求項７】
階層化されている項目からなるメニューを表示させ、前記メニューの項目の選択に応じて画像および音声の信号を処理するAVアンプリファイアの制御方法において、
使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御し、
前記メニューの項目のうち、処理の実行を指示するための項目が前記使用者の操作に応じて選択された場合、選択された項目に応じた処理の実行を制御する
ステップを含む制御方法。
【請求項８】
階層化されている項目からなるメニューを表示させ、前記メニューの項目の選択に応じて画像および音声の信号を処理するAVアンプリファイアのコンピュータに、前記AVアンプリファイアを制御する制御処理を実行させるプログラムにおいて、
使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御し、
前記メニューの項目のうち、処理の実行を指示するための項目が前記使用者の操作に応じて選択された場合、選択された項目に応じた処理の実行を制御する
ステップを含むプログラム。
【請求項９】
階層化されている項目からなるメニューを表示させ、前記メニューの項目の選択に応じて画像および音声の信号を処理するAVアンプリファイアを制御する制御処理用のプログラムであって、
使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御し、
前記メニューの項目のうち、処理の実行を指示するための項目が前記使用者の操作に応じて選択された場合、選択された項目に応じた処理の実行を制御する
ステップを含むことを特徴とするコンピュータが読み取り可能なプログラムが記録されている記録媒体。
【発明の詳細な説明】
【技術分野】
【０００１】
本発明はAVアンプリファイア、制御方法、プログラム、および記録媒体に関し、特に、メニューを表示できるようにしたAVアンプリファイア、制御方法、プログラム、および記録媒体に関する。
【背景技術】
【０００２】
従来のAV（Audio Visual）アンプリファイアにおけるGUI（Graphical User Interface）では、設定メニューがリストや階層構造で表示される。設定メニュー以外のメニュー、すなわち、外部入力の選択、ラジオ放送局の選択、ラジオ放送局のプリセット番号の選択、および接続デバイス内のコンテンツの選択などのメニューは、GUIでは実現されていない。
【０００３】
従来は、メニュー画面に、画面の横方向にそれぞれのカテゴリを表すアイコンであるカテゴリアイコンが配列して表示され、また、カテゴリアイコンの配列方向と直交する縦方向に、ユーザにより選択されているカテゴリに属するコンテンツを表すアイコンであるコンテンツアイコンが配列して表示されるようにしているものもある（例えば、特許文献１参照）。
【０００４】
【特許文献１】特開２００６−８６６２１号公報
【発明の開示】
【発明が解決しようとする課題】
【０００５】
従来のAVアンプにおけるGUIの仕様には、以下のような不都合な点が挙げられる。
【０００６】
第１に、ある外部入力を選択し、映像（画像）／音声を出力している最中に、他の外部入力を選択するために、ダイレクトキーやジョグダイヤルで外部入力を切替えると、使用者の要求が、他の外部入力の、実際には切り替えるかどうかまだ決定していないが選択肢だけを確認しようとする動作である参照である場合も、実際に映像／音声の出力を切り替えようとあらかじめ切替先を決めて操作する動作である切替である場合も、同様に外部入力が切替えられてしまう。特に、前者の場合、この機構は「元の外部入力に戻す」という操作に対し無駄な手間を使用者にかけさせることになる。
【０００７】
第２に、CE（Consumer Electronics）機器の中でも特にAVアンプの設定メニューには、特定のユーザにしか理解できない、あるいは取扱説明書などを参照しなければ理解できない難解なものが多く含まれる。しかし従来のGUIでは多彩な表示機構を備えているにも関わらず、これらのメニューの説明などは表示されない。
【０００８】
第３に、従来の設定メニューに加えて、GUIのメニューに、外部入力の選択、ラジオ放送局の選択、ラジオ放送局のプリセット番号の選択、または接続デバイス内のコンテンツの選択などの機能を加えようとすると、表示制御のためのプログラムおよびビットマップなどの表示部品などのGUIリソースが大幅に増えてしまうことが容易に想定される。また、外部入力ごとに参照または選択のための表示の仕様や操作方法が異なると、設定メニューだけでも複雑だったメニューの構成がより複雑になるだけで、操作性を低下させる要因にもなり得る。
【０００９】
本発明は、このような状況に鑑みてなされたものであり、より少ないリソースで実現することができるとともに、より容易に、またより簡単に操作することができるようにするものである。
【課題を解決するための手段】
【００１０】
本発明の一側面のAVアンプリファイアは、階層化されている項目からなるメニューを表示させ、前記メニューの項目の選択に応じて画像および音声の信号を処理するAVアンプリファイアであって、使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御する表示制御手段と、前記メニューの項目のうち、処理の実行を指示するための項目が前記使用者の操作に応じて選択された場合、選択された項目に応じた処理の実行を制御する実行制御手段とを備える。
【００１１】
前記表示制御手段には、前記注目項目を表示画面の中央の領域に配置させるように、前記メニューの表示を制御させることができる。
【００１２】
前記表示制御手段には、前記注目項目と異なる項目が注目された場合、その注目された項目の前記表示画面の中央の領域への移動に応じて、表示されている項目を前記表示画面において連続的に移動させるように、前記メニューの表示を制御させることができる。
【００１３】
前記表示制御手段には、前記選択項目と前記注目項目とを隣接させるように、前記メニューの表示を制御させることができる。
【００１４】
前記表示制御手段には、画像および音声の前記信号の選択の処理の実行を指示するための項目と、動作の設定の処理の実行を指示するための項目とを含む前記メニューの表示を制御させることができる。
【００１５】
前記表示制御手段には、画像の前記信号による画像と共に前記メニューを表示させるように、前記メニューの表示を制御させることができる。
【００１６】
本発明の一側面の制御方法は、階層化されている項目からなるメニューを表示させ、前記メニューの項目の選択に応じて画像および音声の信号を処理するAVアンプリファイアの制御方法であって、使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御し、前記メニューの項目のうち、処理の実行を指示するための項目が前記使用者の操作に応じて選択された場合、選択された項目に応じた処理の実行を制御するステップを含む。
【００１７】
本発明の一側面のプログラムは、階層化されている項目からなるメニューを表示させ、前記メニューの項目の選択に応じて画像および音声の信号を処理するAVアンプリファイアのコンピュータに、前記AVアンプリファイアを制御する制御処理を実行させるプログラムであって、使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御し、前記メニューの項目のうち、処理の実行を指示するための項目が前記使用者の操作に応じて選択された場合、選択された項目に応じた処理の実行を制御するステップを含む。
【００１８】
本発明の一側面の記録媒体のプログラムは、階層化されている項目からなるメニューを表示させ、前記メニューの項目の選択に応じて画像および音声の信号を処理するAVアンプリファイアを制御する制御処理用のプログラムであって、使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御し、前記メニューの項目のうち、処理の実行を指示するための項目が前記使用者の操作に応じて選択された場合、選択された項目に応じた処理の実行を制御するステップを含む。
【００１９】
本発明の一側面においては、使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、メニューの表示が制御され、前記メニューの項目のうち、処理の実行を指示するための項目が前記使用者の操作に応じて選択された場合、選択された項目に応じた処理の実行が制御される。
【発明の効果】
【００２０】
以上のように、本発明の一側面によれば、メニューから操作することができる。
【００２１】
また、本発明の一側面によれば、より少ないリソースで実現することができるとともに、より容易に、またより簡単に操作することができる。
【発明を実施するための最良の形態】
【００２２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面のAVアンプリファイアは、階層化されている項目からなるメニューを表示させ、前記メニューの項目の選択に応じて画像および音声の信号を処理するAVアンプリファイアであって、使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御する表示制御手段（例えば、図３の表示制御部１０１）と、前記メニューの項目のうち、処理の実行を指示するための項目が前記使用者の操作に応じて選択された場合、選択された項目に応じた処理の実行を制御する実行制御手段（例えば、図３の実行制御部１０２）とを備える。
【００２４】
本発明の一側面の制御方法またはプログラムは、使用者の操作に応じて選択された項目である選択項目と、前記選択項目が属する階層である選択階層の１つ下の階層である注目階層の項目のうち、選択のために注目している項目である注目項目を含む、前記選択項目の子供である項目と、前記注目階層の１つ下の階層に属する項目であって、前記注目項目の子供である項目とを、階層毎の列であって、階層の順の列に配置させるように、前記メニューの表示を制御し（例えば、図５４のステップＳ１６、ステップＳ２１、およびステップＳ２８）、前記メニューの項目のうち、処理の実行を指示するための項目が前記使用者の操作に応じて選択された場合、選択された項目に応じた処理の実行を制御する（例えば、図５４のステップＳ２４）ステップを含む。
【００２５】
図１は、本発明の一実施の形態のAVアンプリファイア１１の構成の一例を示すブロック図である。AVアンプリファイア１１は、入力端子２１−１乃至入力端子２１−ｎ（ｎは、正の整数）、セレクタ２２、デジタル信号処理部２３、セレクタ２４、入力端子２５−１乃至入力端子２５−ｍ（ｍは、正の整数）、セレクタ２６、チューナ２７、画像信号処理ブロック２８、入力端子２９−１乃至入力端子２９−ｐ（ｐは、正の整数）、セレクタ３０、デジタル信号処理部３１、セレクタ３２、入力端子３３−１乃至入力端子３３−ｑ（ｑは、正の整数）、セレクタ３４、アナログブロック３５、メインマイクロコンピュータ３６、GUI表示制御マイクロコンピュータ３７、操作入力部３８、表示部３９、媒体４０、UART（Universal Asynchronous Receiver/Transmitter）４１、外部メモリブロック４２、GUIブロック４３、およびアナログビデオアウトブロック４４を備える。
【００２６】
入力端子２１−１乃至入力端子２１−ｎは、それぞれ、HDMI（High-Definition Multimedia Interface）などのデジタル信号である画像信号を入力するための入力端子である。入力端子２１−１乃至入力端子２１−ｎのそれぞれから入力された画像信号は、セレクタ２２に供給される。
【００２７】
セレクタ２２は、メインマイクロコンピュータ３６の制御の基に、入力端子２１−１乃至入力端子２１−ｎのそれぞれから入力された画像信号のうち、１つの画像信号を選択する。セレクタ２２において選択された画像信号は、デジタル信号処理部２３に供給される。
【００２８】
デジタル信号処理部２３は、入力端子２１−１乃至入力端子２１−ｎのいずれかおよびセレクタ２２を介して供給されたデジタル信号である画像信号に各種の信号処理を適用する。デジタル信号処理部２３は、各種の信号処理を適用した結果得られたアナログ信号である画像信号をセレクタ２４に供給する。
【００２９】
デジタル信号処理部２３は、デコーダDSP（Digital Signal Processor）５１およびDAC（Digital to Analog Converter）５２から構成される。
【００３０】
デコーダDSP５１は、符号化されている画像信号を復号する。デコーダDSP５１は、復号の結果得られた画像信号をDAC５２に供給する。DAC５２は、デジタルアナログ変換により、復号されたデジタル信号である画像信号を、アナログ信号である画像信号に変換する。DAC５２は、デジタルアナログ変換により得られた、アナログ信号である画像信号をセレクタ２４に供給する。
【００３１】
入力端子２５−１乃至入力端子２５−ｍは、それぞれ、コンポジット信号を入力するためのピンジャック、コンポーネント信号を入力するためのピンジャック、RGB信号を入力するためのピンジャック、またはS端子などのアナログ信号である画像信号を入力するための入力端子である。入力端子２５−１乃至入力端子２５−ｍのそれぞれから入力された画像信号は、セレクタ２６に供給される。
【００３２】
セレクタ２６は、メインマイクロコンピュータ３６の制御の基に、入力端子２５−１乃至入力端子２５−ｍのそれぞれから入力された画像信号のうち、１つの画像信号を選択する。セレクタ２６において選択された画像信号は、セレクタ２４に供給される。
【００３３】
チューナ２７は、メインマイクロコンピュータ３６の制御の基に、放送されている番組の画像の画像信号をセレクタ２４に供給するとともに、番組の音声の音声信号をセレクタ３２に供給する。
【００３４】
セレクタ２４は、メインマイクロコンピュータ３６の制御の基に、デジタル信号処理部２３から供給された画像信号、セレクタ２６において選択された画像信号、またはチューナ２７から供給された画像信号のうち、１つの画像信号を選択する。セレクタ２４において選択された画像信号は、画像信号処理ブロック２８に供給される。
【００３５】
画像信号処理ブロック２８は、メインマイクロコンピュータ３６の制御の基に、供給された画像信号に各種の信号処理を適用する。また、画像信号処理ブロック２８は、信号処理を適用した結果得られた画像信号をモニタに供給することにより、モニタに各種の画像を表示させる。
【００３６】
入力端子２９−１乃至入力端子２９−ｐは、それぞれ、ピンジャック、または光ケーブル若しくは同軸ケーブルを接続するためのレセプタクルなどのデジタル信号である音声信号を入力するための入力端子である。入力端子２９−１乃至入力端子２９−ｐのそれぞれから入力された音声信号は、セレクタ３０に供給される。
【００３７】
セレクタ３０は、メインマイクロコンピュータ３６の制御の基に、入力端子２９−１乃至入力端子２９−ｐのそれぞれから入力された音声信号のうち、１つの音声信号を選択する。セレクタ３０において選択された音声信号は、デジタル信号処理部３１に供給される。
【００３８】
デジタル信号処理部３１は、入力端子２９−１乃至入力端子２９−ｐのいずれかおよびセレクタ３０を介して供給されたデジタル信号である音声信号に各種の信号処理を適用する。デジタル信号処理部３１は、各種の信号処理を適用した結果得られたアナログ信号である音声信号をセレクタ３２に供給する。
【００３９】
デジタル信号処理部３１は、DIR（Digital Interface Reciever）５３、デコーダDSP５４、およびDAC５５から構成される。
【００４０】
DIR５３は、光信号である音声信号を、電気信号である音声信号に変換する。DIR５３は、変換により得られた電気信号である音声信号をデコーダDSP５４に供給する。
【００４１】
デコーダDSP５４は、符号化されている音声信号を復号する。デコーダDSP５４は、復号の結果得られた音声信号をDAC５５に供給する。DAC５５は、デジタルアナログ変換により、復号されたデジタル信号である音声信号を、アナログ信号である音声信号に変換する。DAC５５は、デジタルアナログ変換により得られた、アナログ信号である音声信号をセレクタ３２に供給する。
【００４２】
入力端子３３−１乃至入力端子３３−ｑは、それぞれ、ピンジャックまたはフォノジャックなどのアナログ信号である音声信号を入力するための入力端子である。入力端子３３−１乃至入力端子３３−ｑのそれぞれから入力された音声信号は、セレクタ３４に供給される。
【００４３】
セレクタ３４は、メインマイクロコンピュータ３６の制御の基に、入力端子３３−１乃至入力端子３３−ｑのそれぞれから入力された音声信号のうち、１つの音声信号またはいわゆるステレオ音声信号などの一組の音声信号を選択する。セレクタ３４において選択された音声信号は、セレクタ３２に供給される。
【００４４】
セレクタ３２は、メインマイクロコンピュータ３６の制御の基に、デジタル信号処理部３１から供給された音声信号、セレクタ３４において選択された音声信号、またはチューナ２７から供給された音声信号のうち、１つの音声信号またはステレオ音声信号などの一組の音声信号を選択する。セレクタ３２において選択された音声信号は、アナログブロック３５に供給される。
【００４５】
アナログブロック３５は、メインマイクロコンピュータ３６の制御の基に、供給された音声信号に各種の信号処理を適用する。また、アナログブロック３５は、信号処理を適用した結果得られた音声信号をスピーカに供給することにより、スピーカに各種の音声を出力させる。
【００４６】
アナログブロック３５は、ボリウム５６、増幅部５７、およびリレー５８から構成される。ボリウム５６は、アナログブロック３５に供給された音声信号のレベルを調整する。増幅部５７は、ボリウム５６によりレベルが調整された音声信号を増幅する。増幅部５７によって増幅された音声信号は、リレー５８を介してスピーカに供給される。リレー５８がオンしている場合、スピーカは増幅部５７からの音声信号によって音声を出力するように駆動され、リレー５８がオフしている場合、スピーカは駆動されず、スピーカから音声は出力されない。
【００４７】
メインマイクロコンピュータ３６は、組込型のマイクロコンピュータなどからなり、AVアンプリファイア１１の画像信号および音声信号の処理を実行するか、その処理の実行を制御する。
【００４８】
メインマイクロコンピュータ３６には、内蔵ROM（Read Only Memory）６１および内蔵RAM（Random Access Memory）６２が設けられている。内蔵ROM６１には、メインマイクロコンピュータ３６により実行されるプログラムおよびその実行に必要なデータが予め記憶されている。内蔵RAM６２は、メインマイクロコンピュータ３６が実行するプログラム、またはそのプログラムの実行に必要なデータを一時的に記憶する。
【００４９】
GUI表示制御マイクロコンピュータ３７は、組込型のマイクロコンピュータなどからなり、GUIの表示を制御する。
【００５０】
GUI表示制御マイクロコンピュータ３７には、内蔵ROM６３および内蔵RAM６４が設けられている。内蔵ROM６３には、GUI表示制御マイクロコンピュータ３７により実行されるプログラムおよびその実行に必要なデータが予め記憶されている。内蔵RAM６４は、GUI表示制御マイクロコンピュータ３７が実行するプログラム、またはそのプログラムの実行に必要なデータを一時的に記憶する。
【００５１】
操作入力部３８は、使用者の操作に応じた信号をメインマイクロコンピュータ３６またはUART４１に供給する。
【００５２】
操作入力部３８は、キー６５、エンコーダ６６、およびリモートコントローラ６７から構成される。キー６５は、使用者により押圧されて、押圧されているか否かに応じた信号を出力する。エンコーダ６６は、使用者により回動または回転させられて、回動または回転に応じた信号を出力する。
【００５３】
リモートコントローラ６７は、AVアンプリファイア１１の本体から分離された状態で使用者により操作されて、その操作に応じた信号を出力する。
【００５４】
表示部３９は、AVアンプリファイア１１の状態を示す画像または文字を表示する。表示部３９は、FL（Fluorescent Lamp）管６８およびGUI表示部６９からなる。FL管６８は、予め決められた画像または文字などを表示するか、またはマトリックスにより画像または文字などを表示する。GUI表示部６９は、LCD（Liquid Crystal Display）または有機EL（Electro Luminescence）ディスプレイなどからなり、アイコンなどの画像や文字などを表示する。
【００５５】
なお、GUIの画像は、GUI表示部６９に表示するようにしてもよく、また、AVアンプリファイア１１に接続されているモニタに表示するようにしてもよい。
【００５６】
媒体４０は、着脱自在に装着できる、プレーヤまたはいわゆるUSB（Universal Serial Bus）メモリなどであり、記憶しているデータまたはプログラムを電気的に書き換えまたは消去することができるEEPROM７０などの半導体メモリなどを内蔵し、各種のデータまたはプログラムなどを記憶する。
【００５７】
なお、媒体４０は、ハードディスクまたは光ディスクなどから構成されるようにしてもよい。媒体４０が光ディスクなどから構成される場合、媒体４０にデータまたはプログラムを書き込み、または媒体４０からデータまたはプログラムを読み出すためのドライブが設けられる。
【００５８】
UART４１は、操作入力部３８とのインタフェースであるメインシステムインタフェース７１を備えたシリアルデータ通信用コントローラであり、操作入力部３８から供給されたシリアルの信号を、パラレルの信号に変換する。UART４１は、変換の結果得られたパラレルの信号をGUI表示制御マイクロコンピュータ３７に供給する。
【００５９】
外部メモリブロック４２は、SRAM（Static Random Access Memory）７２などの半導体メモリからなり、GUI表示制御マイクロコンピュータ３７により実行されるプログラムまたはその実行に必要な各種のデータを記憶する。
【００６０】
GUIブロック４３は、半導体メモリからなり、GUI表示制御マイクロコンピュータ３７により使用される、GUIの画像の表示に必要な各種のデータおよびプログラムを記憶する。GUIブロック４３は、フラッシュROM７３およびフラッシュROM７４からなる。フラッシュROM７３は、GUIの画像の表示に必要な、アイコン、ウィンドウ、文字などのビットマップデータ８１を記憶している。フラッシュROM７４は、GUIの画像の表示に必要なプログラムであるGUIドライバ８２を記憶している。
【００６１】
アナログビデオアウトブロック４４は、GUI表示制御マイクロコンピュータ３７の制御の基に、GUIの画像を表示させるための信号を生成する。アナログビデオアウトブロック４４に設けられているビデオDAC７５は、アナログビデオアウトブロック４４において生成されたデジタル信号である画像信号を、アナログ信号の画像信号に変換する。
【００６２】
画像信号処理ブロック２８は、入力端子２１−１乃至入力端子２１−ｎまたは入力端子２５−１乃至入力端子２５−ｍのいずれかから入力された画像信号と、アナログビデオアウトブロック４４から供給された、GUIの画像を表示させるための画像信号とを重畳させて、入力端子２１−１乃至入力端子２１−ｎまたは入力端子２５−１乃至入力端子２５−ｍのいずれかから入力された画像信号に応じた画像と共に、GUIの画像をモニタに表示させる。
【００６３】
図２は、リモートコントローラ６７の外観を示す図である。リモートコントローラ６７には、GUIのメニューの項目（アイテム）のうち、フォーカスされている項目の上の項目にフォーカスさせることを指示するための、いわゆる上向きの矢印のキー９１と、GUIのメニューの項目のうち、フォーカスされている項目の下の項目にフォーカスさせることを指示するための、いわゆる下向きの矢印のキー９２と、GUIのメニューの項目のうち、フォーカスされている項目の左の項目にフォーカスさせることを指示するための、いわゆる左向きの矢印のキー９３と、GUIのメニューの項目のうち、フォーカスされている項目の右の項目にフォーカスさせることを指示するための、いわゆる右向きの矢印のキー９４とが設けられている。また、リモートコントローラ６７には、いわゆるセレクト（Select）キーであるキー９５が設けられている。例えば、セレクトキーであるキー９５は、上下に並ぶように配置されているキー９１とキー９２との間であって、左右に並ぶように配置されているキー９３とキー９４との間に配置される。
【００６４】
さらに、リモートコントローラ６７には、オプションのメニューの表示を指示するためのキー９６が設けられている。さらにまた、リモートコントローラ６７には、いわゆるリターン（Return）キーであるキー９７が設けられている。
【００６５】
ここで、項目がフォーカスされるとは、項目が選択のために注目されていることをいう。例えば、フォーカスされた項目は、GUIにおいて、反転表示されるか色が変わるなど強調表示される。以下、フォーカスされている項目を注目項目とも称する。
【００６６】
図３は、プログラムをそれぞれ実行するメインマイクロコンピュータ３６およびGUI表示制御マイクロコンピュータ３７により実現される機能の構成を示すブロック図である。
【００６７】
表示制御部１０１は、プログラムを実行するGUI表示制御マイクロコンピュータ３７により実現され、GUIの画像の表示を制御する。表示制御部１０１は、GUIの画像として、AVアンプリファイア１１に各種の処理を実行させるためのメニューの表示を制御する。
【００６８】
AVアンプリファイア１１において、GUIの画像としてのメニューを構成する項目は、階層化されている。所定の階層の項目は、その階層の１つ下の階層の項目のうち、所定の項目に関係付けられているか、または、その階層の１つ下の階層のいずれの項目にも関係付けられていない。１つ下の階層の項目と関係付けられている項目は、原則として、その１つ下の階層の項目の選択を指示するための項目とされている。１つ下の階層の項目のいずれにも関係付けられていない項目は、原則として、所定の処理の実行を指示する項目とされている。
【００６９】
以下、所定の階層の項目からみて、その項目に関係付けられている、１つ下の階層の項目を子供と称する。逆に、その子供である項目からみて、子供である項目の階層の１つ上の階層の項目のうち、子供である項目に関係付けられている項目を親と称する。
【００７０】
また、以下、注目している階層を注目階層と称する。
【００７１】
例えば、表示制御部１０１は、使用者の操作に応じて選択された項目である選択項目と、選択項目が属する階層である選択階層の１つ下の階層である注目階層の項目のうち、選択のために注目している項目である注目項目を含む、選択項目の子供である項目と、注目階層の１つ下の階層に属する項目であって、注目項目の子供である項目とを、階層毎の列であって、階層の順の列に配置させるように、メニューの表示を制御する。
【００７２】
実行制御部１０２は、プログラムを実行するメインマイクロコンピュータ３６により実現され、AVアンプリファイア１１の各部による各種の処理の実行を制御する。
【００７３】
例えば、実行制御部１０２は、メニューの項目のうち、処理の実行を指示するための項目が使用者の操作に応じて選択された場合、選択された項目に応じた処理の実行を制御する。
【００７４】
なお、１つのプログラムを実行するメインマイクロコンピュータ３６が、表示制御部１０１および実行制御部１０２を実現するようにしてもよい。
【００７５】
次に、表示制御部１０１により表示が制御されるGUIの画像およびGUIへの使用者の操作に応じて実行制御部１０２により制御される処理の実行について説明する。
【００７６】
AVアンプリファイア１１のGUIにおいて、メニューの項目の種別に関わらず、すべてのメニューは、同一のインタフェースで提供される。
【００７７】
AVアンプリファイア１１のGUIにおけるメニュー画面をホーム画面と称する。ホーム画面において、AVアンプリファイア１１で操作できるすべての項目、例えば、設定、外部入力の選択、放送局の選局、プリセットおよびプリセットの番号の選択、ならびにコンテンツの再生などの項目は、以下のカテゴリに分類される。
【００７８】
インプット（Input）カテゴリは、外部入力に関連するカテゴリである。ミュージック（Music）カテゴリは、接続されるデバイス内の音楽のコンテンツに関連するカテゴリである。FM（Frequency Modulation）カテゴリは、FMラジオに関連するカテゴリである。AM（Amplitude Modulation）カテゴリは、AMラジオに関連するカテゴリである。XMカテゴリは、衛星ラジオ放送（XMラジオ）に関連するカテゴリである。設定（Settings）カテゴリは、設定または調整に関連するカテゴリである。
【００７９】
この分類は、階層構造の最上位の階層である第１階層として定義され、アイコンによって表現される。
【００８０】
次に、各カテゴリにおける表示内容を説明する。
【００８１】
インプットカテゴリにおいて、AVアンプリファイア１１への外部からの入力であって、使用者によって選択される入力の単位を示す入力名がリスト状に表示される。ホーム画面において第１階層の項目がフォーカスされている場合、第１階層の１つ下の階層である第２階層の項目として、選択できる入力名と入力名のアイコンだけが表示されるが、第２階層の項目にフォーカスされている状態に遷移すると、入力名のリストの右側に、それぞれの入力名にアサインされている、画像信号を入力するための入力端子の名前と音声信号を入力するための入力端子の名前とが表示される。使用者の操作に応じたフォーカスの状態の遷移により、動的にアサイン情報の表示を切り替えることで、後述するようにGUI半透明表示時の奥の映像の視認性を低下させないようなされている。
【００８２】
ミュージックカテゴリにおいて、その媒体に格納されているコンテンツを直接参照できるようなデバイスがAVアンプリファイア１１に接続された場合、そのデバイスの媒体の内部のフォルダが階層的に表示される。
【００８３】
ミュージックカテゴリの第２階層では、デバイスが接続される端子やデバイスの種類が選択され、第２の階層のより下の階層、すなわち第３階層以下では、各デバイスの固有のフォルダが階層的に表示される。
【００８４】
例えば、接続されたデバイスが、格納しているコンテンツを独自のルールで分類している場合、第３階層以下では、その分類の通りの階層構造でコンテンツに関する情報が表示され、また、そのような分類がない場合、AVアンプリファイア１１で定義された汎用的な階層構造で、コンテンツに関する情報が表示される。このように表示方式は接続されたデバイスによって変わるが、コンテンツを選択する場合の操作の方式は変わらない。
【００８５】
FMカテゴリおよびAMカテゴリにおいて、放送局またはその放送の周波数を登録すると、プリセットされた番号すなわちプリセット番号がリスト状に表示される。プリセット番号とその放送局の名前であるプリセット名が並べて表示される。
【００８６】
XMとは米国における衛星ラジオサービスをいう。XMにおいて、選局は、周波数ではなく、カテゴリの選択とそのカテゴリに属するチャンネルの選択とからなるように２階層でなされる構成とされて、チャネル名とカテゴリ名とが取得できる。
【００８７】
AVアンプリファイア１１において、このXMの構成に応じてカテゴリとチャンネルとをそのまま表示するモードとして「カテゴリモード」が用意され、またFMカテゴリおよびAMカテゴリのようにプリセット番号をリスト状に表示するモードとして「プリセットモード」という２つの表示モードが提供され、使用者の好みの表示モードに切り替えられる機構が設けられている。
【００８８】
プリセットモードにおいては、チャネル名のほかに、そのチャネルが属するカテゴリ名もあわせて表示される。
【００８９】
設定カテゴリにおいて、設定メニューが２階層で表示される。
【００９０】
また、AVアンプリファイア１１において、外部入力の「参照」の動作と「切替」の動作のうち、参照のときの無駄なステップを削除するようになされている。
【００９１】
入力端子２１−１乃至入力端子２５−ｍのうち、任意の入力端子から入力された画像信号に応じた画像を視聴している場合にも、他の入力端子から入力された画像信号に応じた画像、およびメニューの参照ができるように、視聴中の画像の上に半透明のGUIの画像が重ねるように表示される。また、音声のみを出力させている場合や、音声の調節のための画面を表示する場合には、半透明の画像から透過しない画像に切り替えられるように、GUIの画像の表示が自動的に切り替えられる。
【００９２】
従来AVアンプリファイアのメニューは難解なものが多く、メニューの機能を正しく理解して操作することは困難である。そこで、ホーム画面上の設定カテゴリの各メニューには、ヘルプ（メニューの説明文）が表示される。このメニューのヘルプは、現在選択されているメニューについてだけ表示され、限られたGUIの表示のスペースを無駄に消費しないようになされている。
【００９３】
上述のようにメニューを構成したので、操作方法が統一され、上下左右とセレクトの５つのキー９１乃至キー９５のみですべての項目にアクセスすることができる。階層のたどり方はカテゴリ間で共通の仕様になり、GUIリソースを最小限に抑えることができる。
【００９４】
設定の操作のとき、ホーム画面が再利用される。インプットカテゴリにおいて、入力名のアサインの状態を一覧で表示するために、別画面を設けるのではなく、ホーム画面の入力名のリストの右側に、アサイン設定されている映像入力の名前と音声入力の名前とが表示される。これにより、別画面を設けるのに比べGUIリソースが削減できるだけでなく、現在のアサイン設定を参照しながら入力名を選択できるので、特に、入力名の数とアサイン設定のパターンの数が多いAVアンプリファイア１１においては、操作性が格段に向上していると言える。
【００９５】
AVアンプリファイア１１には、FM放送、AM放送、または衛星ラジオ放送の任意の周波数やチャンネルを、FM放送、AM放送、または衛星ラジオ放送のそれぞれに割り当てられているプリセット番号に登録する「プリセット機能」がある。このプリセット番号を選択させるのに、従来は、ただ数字を指定するインタフェースが用いられていたが、AVアンプリファイア１１は、ホーム画面のFMカテゴリ、AMカテゴリ、およびXMカテゴリの各カテゴリのプリセット番号のリストをスクロールさせ、任意のプリセット番号を選択できるように構成されている。これにより、「数字を指定させるインタフェース」は必要なくなるという点でGUIリソースが削減され、さらに、そのプリセット操作が表示のどこに反映されるかを直感的に使用者に伝えることができる。また、すべてのプリセット番号とそのプリセット状態（周波数と名前との対応付け）を確認しながら、新たに登録するプリセット番号を選択できるため、上書きの失敗が起こりにくいという点で操作性が向上している。
【００９６】
次に、図４乃至図５１を参照して、表示制御部１０１により表示が制御される、GUIの画像について説明する。
【００９７】
図４は、入力端子２１−１乃至入力端子２１−ｎ、入力端子２５−１乃至入力端子２５−ｍ、入力端子２９−１乃至入力端子２９−ｐ、または入力端子３３−１乃至入力端子３３−ｑのいずれかから入力された画像信号および音声信号を選択するインプットカテゴリの、いわゆる入力切り替えのためのGUIの画像の遷移を説明する図である。
【００９８】
AVアンプリファイア１１のGUIにおいて、１つの階層の項目は、表示画面において、縦１列に表示される。
【００９９】
メニューを構成する項目のうち、最上位の階層の項目は、例えば、インプットカテゴリの入力切り替えの項目、ミュージックカテゴリの音楽の選択の項目、FMカテゴリのFMラジオ放送の選局の項目、AMカテゴリのAMラジオ放送の選局の項目、XMカテゴリの衛星ラジオ放送の選局の項目、および設定カテゴリの設定の項目などからなる。
【０１００】
図４の上側の状態に対応する図５で示されるように、四角に右向きの矢印を組み合わせたアイコンと”Input”の文字とからなる、入力切り替えの項目が、画面の左上に表示され、音符のアイコンからなる、音楽の選択の項目が、画面の左側であって、入力切り替えの項目の下に表示され、”FM”の文字がその内側に示されている、ラジオの外観を模した図形からなる、FMラジオ放送の選局の項目が、画面の左側であって、音楽の選択の項目の下に表示される。
【０１０１】
すなわち、最上位の階層の、入力切り替えの項目、音楽の選択の項目、およびFMラジオ放送の選局の項目は、画面の左側に、縦に１列に配置される。
【０１０２】
縦に１列に配置される最上位の階層の項目の右側には、最上位の階層の１つ下の階層の項目が表示される。
【０１０３】
具体的には、最上位の階層の項目のうち、入力切り替えの項目がフォーカスされている場合、最上位の階層の１つ下の階層の項目のうち、入力切り替えの項目の子供が、最上位の階層の項目の右側に表示される。入力切り替えの項目の子供は、使用者によって選択される入力の単位を示す入力名としての項目である。
【０１０４】
この場合、最上位の階層の項目と、その１つ下の階層の項目との間には、縦線が表示される。すなわち、縦に１列に配置される所定の階層の項目と、その右側に縦１列に配置される１つ下の階層の項目との間には、縦線が表示される。縦線の表示によって、使用者は、階層を認識することができる。
【０１０５】
なお、最上位の階層の項目のうち、フォーカスされている項目には、そのアイコンとともにその項目の名前を示す文字が表示され、最上位の階層の項目のうち、フォーカスされていない項目には、そのアイコンだけが表示される。
【０１０６】
また、項目に子供が存在する場合には、その項目に隣接するように、その項目の右側に、右向きの矢印が表示される。このようにすることで、使用者は、それぞれの項目に子供が存在するか否かを知ることができる。
【０１０７】
図５で示されるように、ピンジャックの形状を模した図形とS端子の形状を模した図形とを組み合わせたアイコンおよびその名前を示す”Video1”の文字からなる、”Video1”である項目が、入力切り替えの項目の右側に表示され、ピンジャックの形状を模した図形とS端子の形状を模した図形とを組み合わせたアイコンおよびその名前を示す”Video2”の文字からなる、”Video2”である項目が、”Video1”である項目の下側に表示される。また、ピンジャックの形状を模した図形とS端子の形状を模した図形とを組み合わせたアイコンおよびその名前を示す”Video3”の文字からなる、”Video3”である項目が、”Video2”である項目の下側に表示され、光ディスクの形状を模したアイコンおよびその名前を示す”DVD”の文字からなる、”DVD”である項目が、”Video2”である項目の下側に表示されている。
【０１０８】
すなわち、”Video1”である項目、”Video2”である項目、”Video3”である項目、および”DVD”である項目は、それぞれ入力名であり、最上位の階層の項目の右側に、縦に１列に配置される。
【０１０９】
入力切り替えの項目にフォーカスされている状態で、リモートコントローラ６７の右向きの矢印のキー９４が押圧されるか、またはセレクトキーであるキー９５が押圧されると、入力切り替えの項目が選択されるので、図５で示されるGUIの画像から、図４の上側から２番目の状態に対応する図６で示されるGUIの画像に、表示が切り替えられる。
【０１１０】
図６で示されるように、画面の左側には、最上位の階層の項目のうち、選択された項目である入力切り替えの項目だけが表示され、その右側には、最上位の階層の１つ下の階層の項目のうち、入力切り替えの項目の子供である、使用者によって選択される入力の単位を示す入力名が表示され、入力名のさらに右側には、入力名に対応付けられている入力端子の名前が表示される。
【０１１１】
なお、最上位の階層の選択されている項目には、そのアイコンとともにその項目の名前を示す文字が表示される。
【０１１２】
図６で示されるように、”Video1”である項目の右側には、画像信号を入力するための入力端子２１−１乃至入力端子２１−ｎまたは入力端子２５−１乃至入力端子２５−ｍのいずれかのうち、”Video1”である項目に対応付けられているものの名前を示す”Video1:Component”、および音声信号を入力するための入力端子２９−１乃至入力端子２９−ｐまたは入力端子３３−１乃至入力端子３３−ｑのいずれかのうち、”Video1”である項目に対応付けられているものの名前を示す”Video1:OPT”が表示される。
【０１１３】
また、”Video2”である項目の右側には、画像信号を入力するための入力端子２１−１乃至入力端子２１−ｎまたは入力端子２５−１乃至入力端子２５−ｍのいずれかのうち、”Video2”である項目に対応付けられているものの名前を示す”Video2:S”、および音声信号を入力するための入力端子２９−１乃至入力端子２９−ｐまたは入力端子３３−１乃至入力端子３３−ｑのいずれかのうち、”Video2”である項目に対応付けられているものの名前を示す”Video2:OPT”が表示される。
【０１１４】
さらに、”Video3”である項目の右側には、画像信号を入力するための入力端子２１−１乃至入力端子２１−ｎまたは入力端子２５−１乃至入力端子２５−ｍのいずれかのうち、”Video3”である項目に対応付けられているものの名前を示す”Video3:S”、および音声信号を入力するための入力端子２９−１乃至入力端子２９−ｐまたは入力端子３３−１乃至入力端子３３−ｑのいずれかのうち、”Video3”である項目に対応付けられているものの名前を示す”Video3:OPT”が表示される。
【０１１５】
さらにまた、”DVD”である項目の右側には、画像信号を入力するための入力端子２１−１乃至入力端子２１−ｎまたは入力端子２５−１乃至入力端子２５−ｍのいずれかのうち、”DVD”である項目に対応付けられているものの名前を示す”DVD:Component”、および音声信号を入力するための入力端子２９−１乃至入力端子２９−ｐまたは入力端子３３−１乃至入力端子３３−ｑのいずれかのうち、”DVD”である項目に対応付けられているものの名前を示す”DVD:COAX”が表示される。
【０１１６】
図６で示される”Video1”である項目にフォーカスされている状態で、リモートコントローラ６７の下向きの矢印のキー９２が３回押圧されると、図４の上側から３番目の状態に対応する図７で示されるように、”Video1”である項目の３つ下の項目である、”DVD”である項目がフォーカスされる。
【０１１７】
この場合、選択されている入力切り替えの項目の右側に、フォーカスされている”DVD”である項目が隣接して配置されるように、入力名としての項目がスクロールされる。
【０１１８】
図７で示される”DVD”である項目にフォーカスされている状態で、リモートコントローラ６７のセレクトキーであるキー９５が押圧されると、”DVD”である項目が選択されるので、入力端子２１−１乃至入力端子２１−ｎまたは入力端子２５−１乃至入力端子２５−ｍのいずれかから入力されている画像信号のうち、”DVD:Component”の名前が付けられた、”DVD”である項目に対応付けられている入力端子から入力されている画像信号が選択されるとともに、入力端子２９−１乃至入力端子２９−ｐまたは入力端子３３−１乃至入力端子３３−ｑのいずれかから入力されている音声信号のうち、”DVD:COAX”の名前が付けられた、”DVD”である項目に対応付けられている入力端子から入力されている音声信号が選択されて、図４の上側から４番目の状態に示されるように、選択された画像信号に応じた画像がモニタに表示され、選択された音声信号に応じた音声がスピーカから出力される。
【０１１９】
この場合、”DVD”である項目が選択されてから５秒間、モニタには、選択された画像信号に応じた画像と共に、選択された”DVD”である項目、すなわち、選択された入力名などを示すヘッダおよびフッタが表示される。
【０１２０】
”DVD”である項目が選択されてから５秒間以上経過すると、図４の下側の状態に示されるように、ヘッダおよびフッタは消される。
【０１２１】
このように、簡単に、入力を切り替えることができる。
【０１２２】
次に、図８乃至図１６を参照して、選曲について説明する。
【０１２３】
図８は、媒体４０に記憶されている音声データによる音楽を選択し再生する、いわゆる選曲のためのGUIの画像の遷移を説明する図である。
【０１２４】
入力切り替えの項目の下の、音楽の選択の項目がフォーカスされると、図８の左の上側の状態に対応する図９で示されるように、画面の左側の、最上位の階層の項目のうちの、フォーカスされている音楽の選択の項目の右側に、フォーカスされている音楽の選択の項目の子供である、媒体４０の名前などを示す、音楽のデータが記録（記憶）されている媒体を特定する項目が表示される。
【０１２５】
図９で示されるように、入力切り替えの項目の下の、音楽の選択の項目がフォーカスされている状態で、リモートコントローラ６７の右向きの矢印のキー９４が押圧されるか、またはセレクトキーであるキー９５が押圧されると、音楽の選択の項目が選択されるので、図９で示されるGUIの画像から、図８の左側の上側から２番目の状態に対応する図１０で示されるGUIの画像に、表示が切り替えられる。
【０１２６】
図１０で示されるように、画面の左側には、最上位の階層の項目のうち、選択された項目である音楽の選択の項目だけが表示され、その右側には、選択された音楽の選択の項目の子供である、音楽のデータが記録（記憶）されている媒体を特定する項目が表示される。さらに、媒体を特定する項目のうち、フォーカスされている項目の子供の項目が、媒体を特定する項目の右側に表示される。
【０１２７】
すなわち、図１０に示す例において、媒体を特定する項目として、USBメモリである媒体４０を特定する項目が、表示されて、フォーカスされている。
【０１２８】
フォーカスされている、USBメモリである媒体４０を特定する項目の右側には、媒体４０を特定する項目の子供である、音楽の選択の方法を示す項目が表示される。図１０に示す例において、音楽の選択の方法を示す項目として、全部の音楽の選択を示す項目とグループ毎の音楽の選択を示す項目とが表示される。
【０１２９】
USBメモリである媒体４０を特定する項目がフォーカスされている状態で、リモートコントローラ６７の右向きの矢印のキー９４が押圧されるか、またはセレクトキーであるキー９５が押圧されると、媒体４０を特定する項目が選択されるので、図１０で示されるGUIの画像から、図８の左側の上側から３番目の状態に対応する図１１で示されるGUIの画像に、表示が切り替えられる。
【０１３０】
この場合、例えば、媒体４０を特定する項目の子供である、音楽の選択の方法を示す項目のうち、全部の音楽の選択を示す項目がフォーカスされる。
【０１３１】
図１１で示されるように、媒体４０を特定する項目が選択されると、選択されている媒体４０を特定する項目は、画面の左側に移動し、フォーカスされている全部の音楽の選択を示す項目は、画面の中央の領域に配置される。全部の音楽の選択を示す項目の下には、媒体４０を特定する項目の子供である、グループ毎の音楽の選択を示す項目が配置される。
【０１３２】
すなわち、全部の音楽の選択を示す項目の属する階層の他の項目のうち、選択されている媒体４０を特定する項目の子供の項目が、全部の音楽の選択を示す項目と共に、縦に１列に配置される。
【０１３３】
また、全部の音楽の選択を示す項目と媒体４０を特定する項目とは隣接するように配置される。
【０１３４】
さらに、フォーカスがあてられている全部の音楽の選択を示す項目の子供が、全部の音楽の選択を示す項目の右側に１列に配置される。全部の音楽の選択を示す項目の子供は、媒体４０に記憶されている音声データによる音楽の全部のそれぞれについて、選択および再生を指示するための項目、すなわち曲選択の項目である。例えば、図１１の例において、画面の右側には、４つの音楽のそれぞれを選択し再生するための、４つの曲選択の項目が縦１列に配置されている。
【０１３５】
全部の音楽の選択を示す項目にフォーカスされている状態で、リモートコントローラ６７の下向きの矢印のキー９２が押圧されると、全部の音楽の選択を示す項目の下の、グループ毎の音楽の選択を示す項目がフォーカスされ、図１１で示されるGUIの画像から、図８の左側の上側から４番目の状態に対応する図１２で示されるGUIの画像に、表示が切り替えられる。
【０１３６】
図１２で示されるように、グループ毎の音楽の選択を示す項目がフォーカスされると、グループ毎の音楽の選択を示す項目は、選択されている媒体４０を特定する項目の右側に隣接して並ぶように、全部の音楽の選択を示す項目と共に上側にスクロールされ、画面の中央の領域に配置される。
【０１３７】
また、フォーカスがあてられているグループ毎の音楽の選択を示す項目の子供が、グループ毎の音楽の選択を示す項目の右側に１列に配置される。グループ毎の音楽の選択を示す項目の子供は、全部のグループの音楽の選択を示す項目、”Be as one”または”Come On Over・・・”などの所定のグループの音楽の選択を示す項目などのグループの選択を示す項目からなる。
【０１３８】
グループ毎の音楽の選択を示す項目がフォーカスされている状態で、リモートコントローラ６７の右向きの矢印のキー９４が押圧されるか、またはセレクトキーであるキー９５が押圧されると、グループ毎の音楽の選択を示す項目が選択され、図１２で示されるGUIの画像から、図８の左側の上側から５番目の状態に対応する図１３で示されるGUIの画像に、表示が切り替えられる。
【０１３９】
この場合、例えば、グループ毎の音楽の選択を示す項目の子供である、グループの選択を示す項目のうち、全部のグループの音楽の選択を示す項目がフォーカスされる。
【０１４０】
図１３で示されるように、グループ毎の音楽の選択を示す項目が選択されると、選択されたグループ毎の音楽の選択を示す項目は、画面の左側に移動し、フォーカスされた全部のグループの音楽の選択を示す項目は、画面の中央の領域に配置される。全部のグループの音楽の選択を示す項目の下には、グループ毎の音楽の選択を示す項目の子供である、”Be as one”または”Come On Over・・・”などの所定のグループの音楽の選択を示す項目などのグループの選択を示す項目が配置される。
【０１４１】
すなわち、全部のグループの音楽の選択を示す項目の属する階層の他の項目のうち、選択されているグループ毎の音楽の選択を示す項目の子供の項目が、全部のグループの音楽の選択を示す項目と共に、縦に１列に配置される。
【０１４２】
さらに、フォーカスされている全部のグループの音楽の選択を示す項目の子供が、全部のグループの音楽の選択を示す項目の右側に縦に１列に配置される。全部のグループの音楽の選択を示す項目の子供は、媒体４０に記憶されている音声データによる音楽のうち、１つの音楽の選択および再生を指示するための項目、すなわち曲選択の項目である。例えば、図１３の例において、画面の右側には、４つの音楽のそれぞれを選択し再生するための、４つの曲選択の項目が縦１列に配置されている。
【０１４３】
全部のグループの音楽の選択を示す項目がフォーカスされている状態で、リモートコントローラ６７の下向きの矢印のキー９２が押圧されると、全部のグループの音楽の選択を示す項目の下の、”Be as one”のグループの音楽の選択を示す項目がフォーカスされ、図１３で示されるGUIの画像から、図８の右側の上側から１番目の状態に対応する図１４で示されるGUIの画像に、表示が切り替えられる。
【０１４４】
”Be as one”のグループの音楽の選択を示す項目がフォーカスされている状態で、リモートコントローラ６７の右向きの矢印のキー９４が押圧されるか、またはセレクトキーであるキー９５が押圧されると、”Be as one”のグループの音楽の選択を示す項目が選択され、図１４で示されるGUIの画像から、図８の右側の上側から２番目の状態に対応する図１５で示されるGUIの画像に、表示が切り替えられる。
【０１４５】
この場合、例えば、”Be as one”のグループの音楽の選択を示す項目の子供である、曲選択の項目のうち、”01-Be as one_mp3”である１つの音楽の選択および再生を指示するための曲選択の項目がフォーカスされる。
【０１４６】
この状態から、リモートコントローラ６７のセレクトキーであるキー９５が押圧されると、”01-Be as one_mp3”である１つの音楽が選択されて再生され、図１５で示されるGUIの画像から、図８の右側の上側から３番目の状態に対応する図１６で示されるGUIの画像に、表示が切り替えられる。
【０１４７】
図１６で示されるように、１つの音楽が再生されている場合、その曲名、アーティスト名、グループ名などとともに、音楽が再生されていることを示す右向きの三角と、再生時間とが表示される。
【０１４８】
このように、簡単に、曲を選択し、再生することができる。
【０１４９】
次に、図１７乃至図２２を参照して、衛星ラジオ放送の選局のモードであるカテゴリモードとプリセットモードのうちの、カテゴリモードにおける衛星ラジオ放送の選局について説明する。
【０１５０】
図１７は、衛星ラジオ放送の選局のためのGUIの画像の遷移を説明する図である。
【０１５１】
最上位の階層の衛星ラジオ放送の選局の項目がフォーカスされると、図１７の上側の状態に対応する図１８で示されるように、画面の左側に配置されている、最上位の階層の項目のうち、フォーカスされている衛星ラジオ放送の選局の項目の右側に、フォーカスされている衛星ラジオ放送の選局の項目の子供である、衛星ラジオ放送の放送局のカテゴリを特定する項目が縦に１列に表示される。
【０１５２】
衛星ラジオ放送の放送局のカテゴリを特定する項目は、例えば、全てのカテゴリを選択する項目、”Decades”であるカテゴリを選択する項目、”Country”であるカテゴリを選択する項目、”Hits”であるカテゴリを選択する項目などである。
【０１５３】
衛星ラジオ放送の選局の項目がフォーカスされている状態で、リモートコントローラ６７の右向きの矢印のキー９４が押圧されるか、またはセレクトキーであるキー９５が押圧されると、衛星ラジオ放送の選局の項目が選択されるので、図１８で示されるGUIの画像から、図１７の上側から２番目の状態に対応する図１９で示されるGUIの画像に、表示が切り替えられる。
【０１５４】
図１９で示されるように、画面の左側には、最上位の階層の項目のうち、選択された項目である衛星ラジオ放送の選局の項目だけが表示され、その右側には、選択された衛星ラジオ放送の選局の項目の子供である、衛星ラジオ放送の放送局のカテゴリを特定する項目が表示される。さらに、衛星ラジオ放送の放送局のカテゴリを特定する項目のうち、フォーカスされている項目の子供の項目が、衛星ラジオ放送の選局の項目の右側に表示される。
【０１５５】
図１９に示す例において、衛星ラジオ放送の放送局のカテゴリを特定する項目のうち、全てのカテゴリを選択する項目が、フォーカスされている。
【０１５６】
フォーカスされている、全てのカテゴリを選択する項目の右側には、全てのカテゴリを選択する項目の子供である、１つの放送局の選局を指示するための項目、すなわち選局の項目が表示される。図１９に示す例において、選局の項目として、”Preview”である局を選曲するための項目、”Highway1”である局を選曲するための項目、”America”である局を選曲するための項目などが表示される。
【０１５７】
衛星ラジオ放送の選局の項目と、衛星ラジオ放送の放送局のカテゴリを特定する項目と、選局の項目とが、それぞれ、階層の順に、階層毎に、縦１列に配置される。
【０１５８】
全てのカテゴリを選択する項目にフォーカスされている状態で、リモートコントローラ６７の下向きの矢印のキー９２が押圧されると、全てのカテゴリを選択する項目の下の、”Decades”であるカテゴリを選択する項目がフォーカスされ、図１９で示されるGUIの画像から、図１７の上側から３番目の状態に対応する図２０で示されるGUIの画像に、表示が切り替えられる。
【０１５９】
図２０で示されるように、”Decades”であるカテゴリを選択する項目がフォーカスされると、”Decades”であるカテゴリを選択する項目は、選択されている衛星ラジオ放送の選局の項目の右側に隣接して並ぶように、全部の衛星ラジオ放送の放送局のカテゴリを特定する項目と共に上側にスクロールされ、画面の中央の領域に配置される。
【０１６０】
また、フォーカスがあてられている”Decades”であるカテゴリを選択する項目の子供が、”Decades”であるカテゴリを選択する項目の右側に１列に配置される。”Decades”であるカテゴリを選択する項目の子供は、”Fifties(50's)”である局を選曲するための項目、”Sixties(60's)”である局を選曲するための項目、”Seventies(70's)”である局を選曲するための項目などからなる。
【０１６１】
”Decades”であるカテゴリを選択する項目がフォーカスされている状態で、リモートコントローラ６７の右向きの矢印のキー９４が押圧されるか、またはセレクトキーであるキー９５が押圧されると、”Decades”であるカテゴリを選択する項目が選択され、図２０で示されるGUIの画像から、図１７の上側から４番目の状態に対応する図２１で示されるGUIの画像に、表示が切り替えられる。
【０１６２】
この場合、例えば、”Decades”であるカテゴリを選択する項目の子供である、選局の項目のうち、”Fifties(50's)”である局を選曲するための項目がフォーカスされる。
【０１６３】
図２１で示されるように、”Decades”であるカテゴリを選択する項目が選択されると、選択された”Decades”であるカテゴリを選択する項目は、画面の左側に移動し、フォーカスされた”Fifties(50's)”である局を選曲するための項目は、画面の中央により近い領域に配置される。
【０１６４】
この状態から、リモートコントローラ６７のセレクトキーであるキー９５が押圧されると、”Fifties(50's)”である局が選曲され、”Fifties(50's)”である局から放送されている番組の音声がスピーカから出力されて、図２１で示されるGUIの画像から、図１７の下側の状態に対応する図２２で示されるGUIの画像に、表示が切り替えられる。
【０１６５】
図２２で示されるように、衛星ラジオ放送の局が選局されている場合、その局名（チャンネル名）、局番（チャンネル番号）、カテゴリ名などとともに、番組の音声が再生されていることを示す”Now Playing”などの文字が表示される。
【０１６６】
このように、簡単に、衛星ラジオ放送の局を選局し、所望の番組の音声を再生することができる。
【０１６７】
次に、図２３乃至図２７を参照して、衛星ラジオ放送の選局のモードであるカテゴリモードとプリセットモードの切り替えについて説明する。
【０１６８】
図２３は、カテゴリモードとプリセットモードとを切り替える場合のGUIの画像の遷移を説明する図である。
【０１６９】
図２３の上側の状態で示されるように、カテゴリモードにおいて、”Decades”であるカテゴリを選択する項目が選択され、”Decades”であるカテゴリを選択する項目の子供である、選局の項目のうち、”Fifties(50's)”である局を選曲するための項目がフォーカスされている状態で、リモートコントローラ６７のキー９６が押圧されると、図２３の上側から２番目の状態に対応する図２４で示されるように、オプションのメニューが表示される。この場合のオプションのメニューには、プリセットモードに切り替えるための項目、ダイレクトチューニングするための項目などが配置される。
【０１７０】
図２４で示されるように、オプションのメニューの項目のうち、プリセットモードに切り替えるための項目がフォーカスされている状態で、リモートコントローラ６７のセレクトキーであるキー９５が押圧されると、衛星ラジオ放送の選局のモードは、プリセットモードに切り替えられる。
【０１７１】
プリセットモードにおいて、衛星ラジオ放送の選局の項目の子供として、予め登録した放送局を選局する項目が配置される。
【０１７２】
衛星ラジオ放送の選局のモードが、プリセットモードに切り替えられると、図２３の上側から３番目の状態に対応する図２５で示されるように、画面の左側に、選択されている衛星ラジオ放送の選局の項目が配置され、衛星ラジオ放送の選局の項目の右側に、登録された番号の順に、予め登録した放送局を選局する項目が縦１列に配置される。
【０１７３】
この予め登録した放送局を選局する項目が選択されると、その登録した放送局が選局される。
【０１７４】
プリセットモードにおいて、リモートコントローラ６７のキー９６が押圧されると、図２３の上側から４番目の状態に対応する図２６で示されるように、オプションのメニューが表示される。この場合のオプションのメニューには、カテゴリモードに切り替えるための項目、ダイレクトチューニングするための項目などが配置される。
【０１７５】
図２６で示されるように、オプションのメニューの項目のうち、カテゴリモードに切り替えるための項目がフォーカスされている状態で、リモートコントローラ６７のセレクトキーであるキー９５が押圧されると、衛星ラジオ放送の選局のモードは、カテゴリモードに切り替えられる。
【０１７６】
図２３の上側から５番目の状態に対応する図２７で示されるように、カテゴリモードに戻ると、”Decades”であるカテゴリを選択する項目が選択され、”Decades”であるカテゴリを選択する項目の子供である、選局の項目のうち、”Fifties(50's)”である局を選曲するための項目がフォーカスされている状態に戻る。
【０１７７】
次に、図２８乃至図３３を参照して、衛星ラジオ放送の放送局の登録について説明する。
【０１７８】
図２８は、衛星ラジオ放送の放送局の登録のためのGUIの画像の遷移を説明する図である。
【０１７９】
図２８の上側の状態に対応する図２９で示されるように、衛星ラジオ放送の局が選局されている場合、その局名（チャンネル名）、局番（チャンネル番号）、カテゴリ名などとともに、番組の音声が再生されていることを示す”Now Playing”などの文字が表示される。この衛星ラジオ放送の局が選局されている状態において、リモートコントローラ６７のセレクトキーであるキー９５が押圧されると、登録の番号の選択を促すメッセージが表示されて、図２８の上側から２番目の状態に対応する図３０で示される、登録する放送局の番号を選択するためのGUIの画像に、表示が切り替えられる。
【０１８０】
最上位の階層の項目のうちの、衛星ラジオ放送の選局の項目の右側に、登録する放送局の番号を選択するための項目が、縦１列に配置される。登録する放送局の番号を選択するための項目は、上から順に、１番を選択するための項目、２番を選択するための項目、３番を選択するための項目、４番を選択するための項目乃至７番を選択するための項目とされる。登録する放送局の番号を選択するためのGUIの画像に表示が切り替えられた場合、登録する放送局の番号を選択するための項目のうち、１番を選択するための項目がフォーカスされる。
【０１８１】
リモートコントローラ６７の上向きの矢印のキー９１または下向きの矢印のキー９２を押圧することによって、１番を選択するための項目乃至７番を選択するための項目のうちのいずれかがフォーカスされる。
【０１８２】
例えば、１番を選択するための項目がフォーカスされている状態から、リモートコントローラ６７の下向きの矢印のキー９２が４回押圧されると、図２８の上側から３番目の状態に対応する図３１で示されるように、５番を選択するための項目がフォーカスされる。
【０１８３】
５番を選択するための項目がフォーカスされている状態で、リモートコントローラ６７のセレクトキーであるキー９５が押圧されると、選局されていた衛星ラジオ放送の局が５番に登録され、図２８の上側から４番目の状態に対応する図３２で示されるように、登録が実行されてから、５秒間、登録完了を示す”Registration Complete”のメッセージが表示される。
【０１８４】
その後、図２８の下側の状態に対応する図３３で示されるように、５番を選択するための項目の名前は、登録された衛星ラジオ放送の局の名前である”Fifties(50's)”とされ、その右側には、登録された衛星ラジオ放送の局の”Decades”であるカテゴリが表示される。
【０１８５】
このように、簡単に、衛星ラジオ放送の放送局を登録することができる。
【０１８６】
次に、図３４乃至図４１を参照して、アプリケーションプログラムの起動の処理について説明する。
【０１８７】
図３４は、アプリケーションプログラムの起動の処理のためのGUIの画像の遷移を説明する図である。
【０１８８】
最上位の階層の設定の項目がフォーカスされると、図３４の左上側の状態に対応する図３５で示されるように、画面の左側に配置されている、最上位の階層の項目のうち、フォーカスされている設定の項目の右側に、フォーカスされている設定の項目の子供である、設定の選択の項目が縦に１列に表示される。
【０１８９】
設定の選択の項目は、例えば、オートキャリブレーションのアプリケーションプログラムを起動する項目、サラウンドの設定のアプリケーションプログラムを起動する項目、マルチゾーンの設定のアプリケーションプログラムを起動する項目、音声の設定を選択する項目、画像の設定を選択する項目、またはシステムの設定を選択する項目などである。
【０１９０】
設定の項目がフォーカスされている状態で、リモートコントローラ６７のセレクトキーであるキー９５が押圧されると、設定の項目が選択されるので、図３５で示されるGUIの画像から、図３４の左側の上から２番目の状態に対応する図３６で示されるGUIの画像に、表示が切り替えられる。
【０１９１】
図３６で示されるように、画面の左側には、最上位の階層の項目のうち、選択された項目である設定の項目だけが表示され、その右側には、選択された設定の項目の子供である、設定の選択の項目が表示される。
【０１９２】
図３６に示す例において、設定の選択の項目のうち、オートキャリブレーションのアプリケーションプログラムを起動する項目が、フォーカスされている。
【０１９３】
オートキャリブレーションのアプリケーションプログラムを起動する項目にフォーカスされている状態で、リモートコントローラ６７のセレクトキーであるキー９５が押圧されると、オートキャリブレーションのアプリケーションプログラムを起動する項目が選択され、図３６で示されるGUIの画像から、図３４の右の上側の状態に対応する図３７で示されるGUIの画像に、表示が切り替えられる。
【０１９４】
図３７は、オートキャリブレーションのアプリケーションプログラムを起動するための画面を示す図である。オートキャリブレーションのアプリケーションプログラムを起動するための画面に配置されている、”Auto Calibration Start”と記載されているボタンがフォーカスされている状態で、リモートコントローラ６７のセレクトキーであるキー９５が押圧されると、オートキャリブレーションのアプリケーションプログラムが起動される。オートキャリブレーションのアプリケーションプログラムは、それぞれのスピーカが設置されている位置、またはスピーカの利得若しくは周波数特性などに応じて、スピーカを駆動する音声信号について、遅延時間、位相、カットオフ周波数、若しくは増幅率、またはスピーカが配置されている部屋の音響特性にあわせた周波数特性の調整、すなわち帯域毎の増幅率および位相の調整などを行う。
【０１９５】
オートキャリブレーションのアプリケーションプログラムを起動する項目にフォーカスされている状態で、リモートコントローラ６７の下向きの矢印のキー９２が押圧されると、オートキャリブレーションのアプリケーションプログラムを起動する項目の下の、サラウンドの設定のアプリケーションプログラムを起動する項目がフォーカスされ、図３６で示されるGUIの画像から、図３４の左側の上から３番目の状態に対応する図３８で示されるGUIの画像に、表示が切り替えられる。
【０１９６】
サラウンドの設定のアプリケーションプログラムを起動する項目にフォーカスされている状態で、リモートコントローラ６７のセレクトキーであるキー９５が押圧されると、サラウンドの設定のアプリケーションプログラムを起動する項目が選択され、図３８で示されるGUIの画像から、図３４の右側の上から２番目の状態に対応する図３９で示されるGUIの画像に、表示が切り替えられる。
【０１９７】
図３９は、サラウンドの設定のアプリケーションプログラムを起動するための画面を示す図である。サラウンドの設定のアプリケーションプログラムを起動するための画面に配置されている、”A.F.D.Auto”と記載されているボタンまたは”Pro Logic”と記載されているボタンなどがフォーカスされている状態で、リモートコントローラ６７のセレクトキーであるキー９５が押圧されると、フォーカスされているキーに応じたサラウンドの設定のアプリケーションプログラムが起動される。サラウンドの設定のアプリケーションプログラムは、例えば、スピーカから出力される音声を聞いている使用者に、スピーカが設置されている位置で囲まれる領域に比較してより広い領域から音声が聞こえてくるかのような知覚を与える音響効果の、効果の強さや音の広がりなどについての設定を行う。
【０１９８】
サラウンドの設定のアプリケーションプログラムを起動する項目にフォーカスされている状態で、リモートコントローラ６７の下向きの矢印のキー９２が押圧されると、サラウンドの設定のアプリケーションプログラムを起動する項目の下の、マルチゾーンの設定のアプリケーションプログラムを起動する項目がフォーカスされ、図３８で示されるGUIの画像から、図３４の左側の上から４番目の状態に対応する図４０で示されるGUIの画像に、表示が切り替えられる。
【０１９９】
マルチゾーンの設定のアプリケーションプログラムを起動する項目にフォーカスされている状態で、リモートコントローラ６７のセレクトキーであるキー９５が押圧されると、マルチゾーンの設定のアプリケーションプログラムを起動する項目が選択され、図４０で示されるGUIの画像から、図３４の右側の上から３番目の状態に対応する図４１で示されるGUIの画像に、表示が切り替えられる。
【０２００】
図４１は、マルチゾーンの設定のアプリケーションプログラムを起動するための画面を示す図である。マルチゾーンの設定のアプリケーションプログラムを起動するための画面に配置されている、”INPUT”と記載されているボタンなどがフォーカスされている状態で、リモートコントローラ６７のセレクトキーであるキー９５が押圧されると、フォーカスされていたボタンに応じたマルチゾーンの設定のアプリケーションプログラムが起動される。マルチゾーンの設定のアプリケーションプログラムは、例えば、複数のゾーンのそれぞれに、個別の音声を出力するマルチゾーン機能について、ゾーンの選択やそのゾーンに出力する音声の選択などの設定を行う。
【０２０１】
次に、図４２乃至図５１を参照して、パラメータの設定の処理について説明する。
【０２０２】
図４２は、パラメータの設定の処理のためのGUIの画像の遷移を説明する図である。
【０２０３】
最上位の階層の設定の項目が選択され、音声の設定を選択する項目がフォーカスされると、図４２の左上側の状態に対応する図４３で示されるように、画面の左側には、最上位の階層の項目のうち、選択された項目である設定の項目だけが表示され、その右側には、選択された設定の項目の子供である、設定の選択の項目が表示される。さらに、フォーカスされている音声の設定を選択する項目の子供の項目が、音声の設定を選択する項目の右側に表示される。
【０２０４】
この場合、設定の項目と、音声の設定を選択する項目とは、横に隣接するように配置される。
【０２０５】
音声の設定を選択する項目の子供の項目は、音声を設定する項目であり、例えば、復号の優先順位を設定する項目、デュアルモノを設定する項目、または画像と音声との同期を設定する項目などである。
【０２０６】
音声の設定を選択する項目にフォーカスされている状態で、リモートコントローラ６７の右向きの矢印のキー９４が押圧されるか、またはセレクトキーであるキー９５が押圧されると、音声の設定を選択する項目が選択され、図４３で示されるGUIの画像から、図４２の左側の上から２番目の状態に対応する図４４で示されるGUIの画像に、表示が切り替えられる。
【０２０７】
音声の設定を選択する項目が選択されると、復号の優先順位を設定する項目がフォーカスされる。例えば、復号の優先順位を設定する項目の右側には、現在の設定として、復号の優先の順位が自動的に選ばれる設定であることを示す“AUTO”の文字が表示される。
【０２０８】
図４４で示されるように、音声の設定を選択する項目が選択されると、選択されている音声の設定を選択する項目は、画面の左側に移動し、フォーカスされている復号の優先順位を設定する項目は、画面の中央の領域に配置される。復号の優先順位を設定する項目の下には、音声の設定を選択する項目の子供である、デュアルモノを設定する項目、または画像と音声との同期を設定する項目などが配置される。
【０２０９】
復号の優先順位を設定する項目がフォーカスされている状態で、リモートコントローラ６７のセレクトキーであるキー９５が押圧されると、図４２の左側の上から３番目の状態に対応する図４５で示されるように、選択可能な設定であるパラメータ一覧が配置されているコンフィギュレーションボックスが画面の右側から左側に向かってスライドインされるとともに、現在の設定のパラメータがデフォルトとしてフォーカスされる。図４５で示される例において、現在の設定として、“AUTO”であるパラメータがフォーカスされている。
【０２１０】
“AUTO”であるパラメータがフォーカスされている状態で、リモートコントローラ６７の上向きの矢印のキー９１が押圧されると、図４２の左側の上から４番目の状態に対応する図４６で示されるように、コンフィギュレーションボックスのパラメータ一覧のパラメータのうち、“PCM”であるパラメータがフォーカスされる。
【０２１１】
“PCM”であるパラメータがフォーカスされている状態で、リモートコントローラ６７のセレクトキーであるキー９５が押圧されると、PCMの音声信号が優先して復号されるように設定されて、図４２の左側の下の状態に対応する図４７で示されるように、音声の設定を選択する項目が選択され、復号の優先順位を設定する項目がフォーカスされていることを示すGUIの画像に、表示が切り替えられる。この場合、復号の優先順位を設定する項目の右側には、PCMの音声信号が優先して復号される設定であることを示す“PCM”の文字が表示される。
【０２１２】
音声の設定を選択する項目にフォーカスされている状態で、リモートコントローラ６７の下向きの矢印のキー９２が押圧されると、音声の設定を選択する項目の下の、画像の設定を選択する項目がフォーカスされ、図４３で示されるGUIの画像から、図４２の右側の上の状態に対応する図４８で示されるGUIの画像に、表示が切り替えられる。
【０２１３】
画像の設定を選択する項目は、設定の項目の右側に配置される。また、画像の設定を選択する項目の右側には、画像の設定を選択する項目の子供である、画像の変換を設定する項目が表示される。
【０２１４】
画像の設定を選択する項目にフォーカスされている状態で、リモートコントローラ６７の右向きの矢印のキー９４が押圧されるか、またはセレクトキーであるキー９５が押圧されると、画像の設定を選択する項目が選択され、図４８で示されるGUIの画像から、図４２の右側の上から２番目の状態に対応する図４９で示されるGUIの画像に、表示が切り替えられる。
【０２１５】
画像の設定を選択する項目が選択されると、画像の変換を設定する項目がフォーカスされる。画像の変換を設定する項目の右側には、縦の画素の数が４８０であるインターレースの画像信号が縦の画素の数が５７６であるインターレースの画像信号に変換される設定であることを示す“480i/576i”の文字が表示される。
【０２１６】
図４９で示されるように、画像の設定を選択する項目が選択されると、選択されている画像の設定を選択する項目は、画面の左側に移動し、フォーカスされている画像の変換を設定する項目は、画面の中央の領域に配置される。
【０２１７】
この場合、リモートコントローラ６７のセレクトキーであるキー９５が押圧されると、画像の変換の設定について、選択可能な設定であるパラメータ一覧が配置されているコンフィギュレーションボックスが表示されて、そのコンフィギュレーションボックスから、画像の変換の設定を選択し、設定することができる。
【０２１８】
画像の設定を選択する項目にフォーカスされている状態で、リモートコントローラ６７の下向きの矢印のキー９２が押圧されると、画像の設定を選択する項目の下の、システムの設定を選択する項目がフォーカスされ、図４８で示されるGUIの画像から、図４２の右側の上から３番目の状態に対応する図５０で示されるGUIの画像に、表示が切り替えられる。
【０２１９】
システムの設定を選択する項目は、設定の項目の右側に配置される。また、システムの設定を選択する項目の右側には、システムの設定を選択する項目の子供である、調光器を設定する項目またはスピーカのインピーダンスを設定する項目などが表示される。
【０２２０】
システムの設定を選択する項目にフォーカスされている状態で、リモートコントローラ６７の右向きの矢印のキー９４が押圧されるか、またはセレクトキーであるキー９５が押圧されると、システムの設定を選択する項目が選択され、図５０で示されるGUIの画像から、図４２の右側の上から４番目の状態に対応する図５１で示されるGUIの画像に、表示が切り替えられる。
【０２２１】
システムの設定を選択する項目が選択されると、調光器を設定する項目がフォーカスされる。
【０２２２】
図５１で示されるように、システムの設定を選択する項目が選択されると、選択されているシステムの設定を選択する項目は、画面の左側に移動し、フォーカスされている調光器を設定する項目は、画面の中央の領域に配置される。調光器を設定する項目の右側には、光量を調整しない設定であることを示す“0% Down”の文字が表示される。
【０２２３】
この場合、リモートコントローラ６７のセレクトキーであるキー９５が押圧されると、調光器の設定について、選択可能な設定であるパラメータ一覧が配置されているコンフィギュレーションボックスが表示されて、そのコンフィギュレーションボックスから、調光器の設定を選択し、設定することができる。
【０２２４】
以下、フォーカスされている項目をフォーカスアイテムとも称し、フォーカスされている項目の階層をフォーカス階層とも称する。
【０２２５】
また、所定の階層を対象とする場合、その階層自身を自階層と称し、対象とされている自階層の１つ上の階層を親階層と称し、対象とされている自階層の１つ下の階層を子階層と称する。
【０２２６】
図５２は、GUIの画像における、メニューの項目の配置を説明する図である。メニューの項目の配置の基準となる座標の原点は、GUIの画像の左下とされる。メニューの項目の配置の基準となる座標は、X座標とY座標とで表される直交座標であり、X座標が、GUIの画像の横方向とされ、Y座標が、GUIの画像の横方向とされる。
【０２２７】
フォーカスされている項目の階層に注目すると、図５２で示されるように、各階層の項目は、左から親階層、自階層、子階層の順に、階層毎に、縦に１列に表示される。
【０２２８】
階層構造における各階層は、階層番号levelで特定される。最上位の階層は、第１階層なので、１である階層番号levelで特定され、最上位の階層の１つ下の階層は、第２階層なので、２である階層番号levelで特定され、最上位の階層の２つ下の階層は、第３階層なので、３である階層番号levelで特定される。
【０２２９】
図５２の例の場合、親階層は、最上位の階層なので、親階層は、１である階層番号levelで特定され、親階層の１つ下の階層である自階層は、２である階層番号levelで特定され、自階層の１つ下の階層である子階層は、３である階層番号levelで特定される。
【０２３０】
また、それぞれの階層について、その階層が注目された場合、その階層の項目が表示されるX座標上の位置が予め決められている。同様に、それぞれの階層について、その階層の親階層が注目された場合、その階層の項目が表示されるX座標上の位置が予め決められている。さらに、それぞれの階層について、その階層の子階層が注目された場合、その階層の項目が表示されるX座標上の位置が予め決められている。
【０２３１】
フォーカス時X座標位置PosX_inは、その階層が注目された場合、その階層の項目が表示されるX座標上の位置を示す。親フォーカス時X座標位置PosX_leftは、その階層の親階層が注目された場合、その階層の項目が表示されるX座標上の位置を示す。
【０２３２】
また、子フォーカス時X座標位置PosX_rightは、その階層の子階層が注目された場合、その階層の項目が表示されるX座標上の位置を示す。
【０２３３】
さらにまた、それぞれの階層について、その階層が注目された場合、自階層の項目のうち、フォーカスされている項目が表示されるY座標上の位置、フォーカスされている項目の下の項目が表示されるY座標上の位置、およびフォーカスされている項目の上の項目が表示されるY座標上の位置は、それぞれ予め決められている。縦方向のスクロールの基準となる距離は、予め決められている。
【０２３４】
フォーカス項目Y座標位置PosY_inは、その階層が注目された場合、自階層の項目のうち、フォーカスされている項目が表示されるY座標上の位置を示す。下項目Y座標位置PosY_belowは、その階層が注目された場合、自階層の項目のうち、フォーカスされている項目の下の項目が表示されるY座標上の位置を示す。上項目Y座標位置PosY_aboveは、その階層が注目された場合、自階層の項目のうち、フォーカスされている項目の上の項目が表示されるY座標上の位置を示す。
【０２３５】
また、標準スクロール距離scroll_disは、縦方向のスクロールの基準となる距離を示す。
【０２３６】
さらに、項目（アイテム）は、アイテムIDで特定される。図５２の例の場合、自階層の縦に１列に並べられている５つの項目は、上から順に、それぞれ、２であるアイテムID、３であるアイテムID、４であるアイテムID、５であるアイテムID、６であるアイテムIDで特定される。
【０２３７】
図５２の例の場合、４であるアイテムIDで特定される項目（アイテム）が注目されている。
【０２３８】
図５３は、GUIの画像における、メニューの項目の配置を定めるための情報を示す図である。メニューの項目の配置を定める場合の情報は、階層情報、リスト管理情報、およびフォーカス位置情報からなる。図５３の例において、階層情報、リスト管理情報、およびフォーカス位置情報は、それぞれ１つずつ示されているが、階層情報およびリスト管理情報は、階層のそれぞれについて、１つずつ定められる。
【０２３９】
階層情報は、階層に関する情報であり、階層番号level、フォーカス時X座標位置PosX_in、子フォーカス時X座標位置PosX_right、親フォーカス時X座標位置PosX_left、上項目Y座標位置PosY_above、フォーカス項目Y座標位置PosY_in、下項目Y座標位置PosY_below、標準スクロール距離scroll_dis、子階層ポインタ*child、および親階層ポインタ*parentからなる。
【０２４０】
階層番号level、フォーカス時X座標位置PosX_in、子フォーカス時X座標位置PosX_right、親フォーカス時X座標位置PosX_left、上項目Y座標位置PosY_above、フォーカス項目Y座標位置PosY_in、下項目Y座標位置PosY_below、および標準スクロール距離scroll_disは、それぞれ予め定められている。
【０２４１】
子階層ポインタ*childは、子階層の階層情報が記憶されている領域のアドレスを示す。親階層ポインタ*parentは、親階層の階層情報が記憶されている領域のアドレスを示す。
【０２４２】
子階層ポインタ*childおよび親階層ポインタ*parentは、処理中に、動的に変化する。
【０２４３】
NULLである子階層ポインタ*childは、子階層が存在しないことを示し、NULLでない子階層ポインタ*childは、子階層が存在することを示す。NULLである親階層ポインタ*parentは、親階層が存在しないことを示し、NULLでない親階層ポインタ*parentは、親階層が存在することを示す。
【０２４４】
リスト管理情報は、注目している自階層の項目（アイテム）に関する情報であり、階層内のすべてのアイテムの数を示すアイテム数item_num、自階層の項目（アイテム）のうち、表示されている最も上位のアイテムのアイテムIDを示すトップアイテムtop_item、自階層の項目（アイテム）のうち、表示されている最も下位のアイテムのアイテムIDを示すボトムアイテムbottom_item、１画面に表示できるアイテムの数を示す表示アイテム数dis_num、およびフォーカスされている項目の位置を示すフォーカス位置focus_posからなる。すなわち、フォーカス位置focus_posは、自階層において表示されている最も上位の項目からフォーカスされている項目までの項目の数を示す。
【０２４５】
また、フォーカス位置情報は、フォーカスされている階層、すなわち注目されている自階層の番号を示すフォーカス階層番号focus_level、およびフォーカスされている項目（アイテム）のアイテムIDを示すフォーカスアイテムfocus_itemからなる。
【０２４６】
図５２に示されるGUIの画像の例において、フォーカス階層番号focus_levelは、２とされ、トップアイテムtop_itemは、２とされ、ボトムアイテムbottom_itemは、６とされ、フォーカスアイテムfocus_itemは、４とされ、アイテム数item_numは、６とされ、表示アイテム数dis_numは、７とされ、フォーカス位置focus_posは、３とされる。
【０２４７】
次に、図５４乃至図６０のフローチャートを参照して、GUIの処理を説明する。
【０２４８】
図５４は、キーの操作の受付の処理を説明するフローチャートである。ステップＳ１１において、表示制御部１０１は、操作入力部３８からの信号を基に、リモートコントローラ６７の上向きの矢印のキー９１が押圧されたか否かを判定し、リモートコントローラ６７のキー９１が押圧されていないと判定された場合、ステップＳ１２に進み、リモートコントローラ６７の下向きの矢印のキー９２が押圧されたか否かを判定する。
【０２４９】
ステップＳ１２において、リモートコントローラ６７の下向きの矢印のキー９２が押圧されていないと判定された場合、ステップＳ１３に進み、表示制御部１０１は、操作入力部３８からの信号を基に、リモートコントローラ６７の右向きの矢印のキー９４が押圧されたか否かを判定する。
【０２５０】
ステップＳ１３において、リモートコントローラ６７の右向きの矢印のキー９４が押圧されたと判定された場合、注目している自階層の注目されている項目が選択されたので、次に、子階層に注目することになるので、ステップＳ１４に進み、表示制御部１０１は、子階層ポインタ*childがNULLであるか否かを判定する。
【０２５１】
ステップＳ１４において、子階層ポインタ*childがNULLでないと判定された場合、子階層が存在するので、ステップＳ１５に進み、表示制御部１０１は、フォーカス階層番号focus_levelを１だけインクリメントする。ステップＳ１６において、表示制御部１０１は、下位階層への遷移処理を実行し、ステップＳ１１に戻る。下位階層への遷移処理の詳細は、図５５のフローチャートを参照して後述する。
【０２５２】
ステップＳ１４において、子階層ポインタ*childがNULLであると判定された場合、子階層が存在しないので、ステップＳ１５およびステップＳ１６はスキップされて、ステップＳ１１に戻る。
【０２５３】
ステップＳ１３において、リモートコントローラ６７の右向きの矢印のキー９４が押圧されていないと判定された場合、ステップＳ１７に進み、表示制御部１０１は、操作入力部３８からの信号を基に、リモートコントローラ６７のセレクトキーであるキー９５が押圧されたか否かを判定する。
【０２５４】
ステップＳ１７において、セレクトキーであるキー９５が押圧されていないと判定された場合、ステップＳ１８に進み、表示制御部１０１は、操作入力部３８からの信号を基に、リモートコントローラ６７の左向きの矢印のキー９３が押圧されたか否かを判定する。
【０２５５】
ステップＳ１８において、左向きの矢印のキー９３が押圧されたと判定された場合、ステップＳ１９に進み、表示制御部１０１は、フォーカス階層番号focus_levelが１であるか否かを判定する。ステップＳ１９において、フォーカス階層番号focus_levelが１であると判定された場合、現在、最上位の階層に注目し、さらに上位の階層に注目することはできないので、手続きは、ステップＳ１１に戻る。
【０２５６】
ステップＳ１９において、フォーカス階層番号focus_levelが１でないと判定された場合、現在、最上位の階層ではない階層に注目しており、さらに上位の階層に注目することができるので、ステップＳ２０に進み、表示制御部１０１は、フォーカス階層番号focus_levelを１だけデクリメントする。ステップＳ２１において、表示制御部１０１は、上位階層への遷移処理を実行し、ステップＳ１１に戻る。上位階層への遷移処理の詳細は、図５７のフローチャートを参照して後述する。
【０２５７】
ステップＳ１８において、左向きの矢印のキー９３が押圧されていないと判定された場合、ステップＳ２２に進み、表示制御部１０１は、操作入力部３８からの信号を基に、リモートコントローラ６７のリターンキーであるキー９７が押圧されたか否かを判定する。ステップＳ２２において、リターンキーであるキー９７が押圧されたと判定された場合、手続きは、ステップＳ１９に進む。
【０２５８】
ステップＳ２２において、リターンキーであるキー９７が押圧されていないと判定された場合、手続きは、ステップＳ１１に戻る。
【０２５９】
ステップＳ１７において、セレクトキーであるキー９５が押圧されたと判定された場合、ステップＳ２３に進み、表示制御部１０１は、キー９５の押圧によって選択された項目がアプリケーションの起動要求の項目であるか否かを判定する。ステップＳ２３において、キー９５の押圧によって選択された項目がアプリケーションの起動要求の項目であると判定された場合、ステップＳ２４に進み、実行制御部１０２は、キー９５の押圧によって選択された項目に応じたアプリケーションプログラムを実行させるなどの、アプリケーションの起動の処理を行ない、処理は終了する。
【０２６０】
ステップＳ２３において、キー９５の押圧によって選択された項目がアプリケーションの起動要求の項目でないと判定された場合、手続きは、ステップＳ１４に進む。
【０２６１】
ステップＳ１１において、リモートコントローラ６７のキー９１が押圧されたと判定された場合、ステップＳ２５に進み、表示制御部１０１は、フォーカスアイテムfocus_itemから１を引き算した値が０になるか否かを判定する。ステップＳ２５において、フォーカスアイテムfocus_itemから１を引き算した値が０になると判定された場合、現在、注目されている項目より上には項目が存在しないので、手続きは、ステップＳ１１に戻る。
【０２６２】
ステップＳ２５において、フォーカスアイテムfocus_itemから１を引き算した値が０にならないと判定された場合、現在、注目されている項目より上に項目が存在するので、ステップＳ２６に進み、表示制御部１０１は、フォーカスアイテムfocus_itemを１だけデクリメントする。
【０２６３】
ステップＳ２７において、表示制御部１０１は、リスト管理情報更新処理を実行する。リスト管理情報更新処理の詳細は、図５８のフローチャートを参照して後述する。
【０２６４】
ステップＳ２８において、表示制御部１０１は、縦スクロール処理を実行して、手続きは、ステップＳ１１に戻る。縦スクロール処理の詳細は、図５９のフローチャートを参照して後述する。
【０２６５】
ステップＳ１２において、リモートコントローラ６７の下向きの矢印のキー９２が押圧されたと判定された場合、ステップＳ２９に進み、表示制御部１０１は、フォーカスアイテムfocus_itemに１を加算した値がアイテム数item_numを超えるか否かを判定する。ステップＳ２９において、フォーカスアイテムfocus_itemに１を加算した値がアイテム数item_numを超えると判定された場合、現在、注目されている項目より下には項目が存在しないので、手続きは、ステップＳ１１に戻る。
【０２６６】
ステップＳ２９において、フォーカスアイテムfocus_itemに１を加算した値がアイテム数item_numを超えないと判定された場合、現在、注目されている項目より下に項目が存在するので、ステップＳ３０に進み、表示制御部１０１は、フォーカスアイテムfocus_itemを１だけインクリメントして、手続きは、ステップＳ２７に進む。
【０２６７】
図５５は、ステップＳ１６の下位階層への遷移処理を説明するフローチャートである。ステップＳ５１において、表示制御部１０１は、フォーカス階層番号focus_levelで示される階層である自階層のアイテム数item_numが正の整数であるか否かを判定し、自階層のアイテム数item_numは正の整数であると判定された場合、ステップＳ５２に進み、親階層の階層番号levelを検出する。ステップＳ５３において、表示制御部１０１は、自階層の階層番号levelを、ステップＳ５２で検出した親階層の階層番号levelに１を加算した値に設定する。すなわち、親階層の階層番号levelの値に１が加算された結果が、自階層の階層番号levelに設定され、その結果、自階層の階層番号levelは、ステップＳ５２で検出した親階層の階層番号levelに１を加算した値とされる。
【０２６８】
ステップＳ５４において、表示制御部１０１は、親階層の子階層ポインタ*childに、自階層の階層情報のアドレスを設定する。すなわち、自階層の階層情報のアドレスが親階層の子階層ポインタ*childに設定されることで、親階層の子階層ポインタ*childは、自階層の階層情報が記憶されている領域のアドレスを示す値とされる。
【０２６９】
ステップＳ５５において、表示制御部１０１は、自階層の親階層ポインタ*parentに、親階層の階層情報のアドレスを設定する。すなわち、親階層の階層情報のアドレスが自階層の親階層ポインタ*parentに設定されることで、自階層の親階層ポインタ*parentは、親階層の階層情報が記憶されている領域のアドレスを示す値とされる。
【０２７０】
ステップＳ５６において、表示制御部１０１は、自階層の階層番号levelがフォーカス階層番号focus_levelに１を加算した値以内であるか否かを判定し、自階層の階層番号levelがフォーカス階層番号focus_levelに１を加算した値以内であると判定された場合、子階層の子階層ポインタ*childおよび親階層ポインタ*parentを設定するために、ステップＳ５７に進み、自階層の階層情報ポインタとして、一時的に、子階層の階層情報ポインタを設定して、一時的に、注目されている階層の１つ下の階層を自階層として、ステップＳ５１に戻り、上述した処理を繰り返す。
【０２７１】
ステップＳ５６において、自階層の階層番号levelがフォーカス階層番号focus_levelに１を加算した値以内でない判定された場合、または、ステップＳ５１において、自階層のアイテム数item_numは正の整数でないと判定された場合、フォーカスされている階層とその１つ下の階層とについて、子階層ポインタ*childおよび親階層ポインタ*parentが設定されたので、ステップＳ５８に進み、表示制御部１０１は、自階層のフォーカス時X座標位置PosX_inと、現在のX座標すなわち自階層のアイテムが表示されているX座標の位置とが同じか否かを判定し、自階層のフォーカス時X座標位置PosX_inと現在のX座標とが同じであると判定された場合、ステップＳ５９に進み、階層情報を基に、項目を表示する表示の処理を行ない、下位階層への遷移処理は終了する。
【０２７２】
ステップＳ５８において、自階層のフォーカス時X座標位置PosX_inと現在のX座標とが同じでないと判定された場合、ステップＳ６０に進み、表示制御部１０１は、横スクロール処理を実行する。横スクロール処理の詳細は、図５６のフローチャートを参照して後述する。
【０２７３】
ステップＳ６１において、表示制御部１０１は、自階層の階層情報ポインタとしてフォーカス階層番号focus_levelで示される階層の階層情報ポインタを設定して、下位階層への遷移処理は終了する。自階層の階層情報ポインタは、フォーカス階層番号focus_levelで示される階層の階層情報が記憶されている領域のアドレスを示す値とされる。
【０２７４】
次に、図５５のステップＳ６０の横スクロール処理の詳細を図５６のフローチャートを参照して説明する。ステップＳ８１において、表示制御部１０１は、親階層のフォーカス時X座標位置PosX_inから親フォーカス時X座標位置PosX_leftを引き算した値を移動距離として設定する。ステップＳ８２において、表示制御部１０１は、上位階層への遷移であるか否かを判定し、上位階層への遷移であると判定された場合、ステップＳ８３において、移動距離に−１を乗算して、手続きは、ステップＳ８４に進む。
【０２７５】
ステップＳ８２において、上位階層への遷移であると判定された場合、ステップＳ８３の処理はスキップされて、手続きは、ステップＳ８４に進む。
【０２７６】
ステップＳ８４において、表示制御部１０１は、フレームレートを基に、移動ステップ数を設定する。例えば、表示制御部１０１は、フレームレートと同じ移動ステップ数を設定する。
【０２７７】
ステップＳ８５において、表示制御部１０１は、ステップカウンタが移動ステップ数を超えるか否かを判定し、ステップカウンタが移動ステップ数を超えないと判定された場合、ステップＳ８６に進み、ステップカウンタを１だけインクリメントする。
【０２７８】
ステップＳ８７において、表示制御部１０１は、速度、移動ステップ数、および移動距離を基に、加速度を設定する。ステップＳ８８において、表示制御部１０１は、加速度およびステップカウンタを基にステップ移動距離を設定する。
【０２７９】
ステップＳ８９において、表示制御部１０１は、ステップ移動距離だけ、項目が表示されるX座標の位置を更新する。ステップＳ９０において、表示制御部１０１は、更新されたX座標の位置に項目を表示させるように、表示の処理を行ない、ステップＳ８５に戻り、上述した処理を繰り返す。
【０２８０】
ステップＳ８５において、ステップカウンタが移動ステップ数を超えたと判定された場合、横スクロール処理は終了する。
【０２８１】
図５７は、図５４のステップＳ２１の上位階層への遷移処理の詳細を説明するフローチャートである。ステップＳ１０１において、表示制御部１０１は、自階層の子フォーカス時X座標位置PosX_rightと、現在のX座標すなわち自階層のアイテムが表示されているX座標の位置とが同じであるか否かを判定し、自階層の子フォーカス時X座標位置PosX_rightと現在のX座標が同じであると判定された場合、ステップＳ１０２に進み、階層情報を基に、項目を表示する表示の処理を行ない、上位階層への遷移処理は終了する。
【０２８２】
ステップＳ１０１において、自階層の子フォーカス時X座標位置PosX_rightと現在のX座標が同じでないと判定された場合、ステップＳ１０３に進み、図５６を参照して説明した横スクロール処理を実行する。
【０２８３】
ステップＳ１０４において、表示制御部１０１は、自階層の階層情報ポインタとして、親階層の階層情報ポインタを設定して、上位階層への遷移処理は終了する。すなわち、自階層の階層情報ポインタは、親階層の階層情報が記憶されている領域のアドレスを示す値とされる。
【０２８４】
図５８は、図５４のステップＳ２７のリスト管理情報更新処理の詳細を説明するフローチャートである。ステップＳ１２１において、表示制御部１０１は、フォーカスアイテムfocus_itemがフォーカス位置focus_posを超えるか否かを判定し、フォーカスアイテムfocus_itemがフォーカス位置focus_posを超えると判定された場合、ステップＳ１２２に進み、トップアイテムtop_itemを、フォーカスアイテムfocus_itemからフォーカス位置focus_posを引き算した値に設定して、ステップＳ１２４に進む。すなわち、この場合、トップアイテムtop_itemは、フォーカスアイテムfocus_itemからフォーカス位置focus_posを引き算した値とされる。
【０２８５】
ステップＳ１２１において、フォーカスアイテムfocus_itemがフォーカス位置focus_posを超えないと判定された場合、ステップＳ１２３に進み、表示制御部１０１は、トップアイテムtop_itemを０に設定して、ステップＳ１２４に進む。すなわち、この場合、トップアイテムtop_itemは、０とされる。
【０２８６】
ステップＳ１２４において、表示制御部１０１は、アイテムカウンタにフォーカスアイテムfocus_itemを設定する。ステップＳ１２５において、表示制御部１０１は、アイテムカウンタがアイテム数item_numを超えるか否かを判定し、アイテムカウンタがアイテム数item_numを超えないと判定された場合、ステップＳ１２６に進み、ボトムアイテムbottom_itemにアイテムカウンタを設定する。ステップＳ１２７において、表示制御部１０１は、アイテムカウンタを１だけインクリメントして、手続きは、ステップＳ１２５に戻る。
【０２８７】
ステップＳ１２５において、アイテムカウンタがアイテム数item_numを超えたと判定された場合、リスト管理情報更新処理は終了する。
【０２８８】
次に、図５９のフローチャートを参照して、図５４のステップＳ２８の縦スクロール処理の詳細を説明する。
【０２８９】
ステップＳ１４１において、表示制御部１０１は、各アイテムの移動距離設定処理を実行する。
【０２９０】
ここで、図６０のフローチャートを参照して、各アイテムの移動距離設定処理の詳細を説明する。
【０２９１】
ステップＳ１７１において、表示制御部１０１は、アイテムカウンタをトップアイテムtop_itemに設定する。これにより、アイテムカウンタは、トップアイテムtop_itemの値を示す。
【０２９２】
ステップＳ１７２において、表示制御部１０１は、アイテムカウンタがボトムアイテムbottom_itemを超えるか否かを判定し、アイテムカウンタがボトムアイテムbottom_itemを超えないと判定された場合、ステップＳ１７３に進み、アイテムカウンタが、そのアイテムIDを指すアイテムであるアイテムＡの現在のY座標上の位置を記憶する。
【０２９３】
ステップＳ１７４において、表示制御部１０１は、フォーカスアイテムfocus_itemを基に、アイテムＡがフォーカスされているアイテムであるか否かを判定し、アイテムＡがフォーカスされているアイテムであると判定された場合、ステップＳ１７５に進み、式（１）により移動距離を求めて、求めた移動距離を設定して、手続きは、ステップＳ１７９に進む。
【０２９４】
移動距離=フォーカス階層（自階層）のフォーカス項目Y座標位置PosY_in−アイテムＡの現在のY座標位置
・・・（１）
【０２９５】
ステップＳ１７４において、アイテムＡがフォーカスされているアイテムでないと判定された場合、ステップＳ１７６に進み、表示制御部１０１は、アイテムＡのアイテムIDがフォーカスされているアイテムのアイテムIDすなわちフォーカスアイテムfocus_itemより大きいか否かを判定する。ステップＳ１７６において、アイテムＡのアイテムIDがフォーカスされているアイテムのアイテムIDより大きくないと判定された場合、ステップＳ１７７に進み、表示制御部１０１は、式（２）により移動距離を求めて、求めた移動距離を設定して、手続きは、ステップＳ１７９に進む。
【０２９６】
移動距離=（フォーカス階層（自階層）の上項目Y座標位置PosY_above−（フォーカスアイテムのアイテムID−アイテムＡのアイテムID−１）×フォーカス階層の標準スクロール距離scroll_dis）−アイテムＡの現在のY座標位置
・・・（２）
【０２９７】
ステップＳ１７６において、アイテムＡのアイテムIDがフォーカスアイテムのアイテムIDより大きいと判定された場合、ステップＳ１７８に進み、表示制御部１０１は、式（３）により移動距離を求めて、求めた移動距離を設定して、手続きは、ステップＳ１７９に進む。
【０２９８】
移動距離=（フォーカス階層（自階層）の下項目Y座標位置PosY_below−（アイテムＡのアイテムID−フォーカスアイテムのアイテムID−１）×フォーカス階層の標準スクロール距離scroll_dis）−アイテムＡの現在のY座標位置
・・・（３）
【０２９９】
ステップＳ１７９において、表示制御部１０１は、アイテムカウンタを１だけインクリメントして、ステップＳ１７２に戻る。
【０３００】
ステップＳ１７２において、アイテムカウンタがボトムアイテムbottom_itemを超えると判定された場合、各アイテムの移動距離設定処理は終了する。
【０３０１】
図５９に戻り、ステップＳ１４２において、表示制御部１０１は、フレームレートを基に、移動ステップ数を設定する。例えば、表示制御部１０１は、フレームレートと同じ移動ステップ数を設定する。
【０３０２】
ステップＳ１４３において、表示制御部１０１は、ステップカウンタが移動ステップ数を超えるか否かを判定し、ステップカウンタが移動ステップ数を超えないと判定された場合、ステップＳ１４４に進み、ステップカウンタを１だけインクリメントする。
【０３０３】
ステップＳ１４５において、表示制御部１０１は、アイテムカウンタをトップアイテムtop_itemに設定する。これにより、アイテムカウンタは、トップアイテムtop_itemの値を示す。
【０３０４】
ステップＳ１４６において、表示制御部１０１は、アイテムカウンタがボトムアイテムbottom_itemを超えるか否かを判定し、アイテムカウンタがボトムアイテムbottom_itemを超えないと判定された場合、ステップＳ１４７に進み、速度、移動ステップ数、および移動距離を基に、加速度を設定する。ステップＳ１４８において、表示制御部１０１は、加速度およびステップカウンタを基にステップあたりの移動距離を設定する。
【０３０５】
ステップＳ１４９において、表示制御部１０１は、ステップあたりの移動距離だけ、項目が表示されるY座標の位置を更新して、ステップＳ１４６に戻る。
【０３０６】
ステップＳ１４６において、アイテムカウンタがボトムアイテムbottom_itemを超えると判定された場合、ステップＳ１５０に進み、表示制御部１０１は、更新されたY座標の位置に項目を表示させるように、表示の処理を行ない、ステップＳ１４３に戻り、上述した処理を繰り返す。
【０３０７】
ステップＳ１４３において、ステップカウンタが移動ステップ数を超えたと判定された場合、縦スクロール処理は終了する。
【０３０８】
以上のように、AVアンプリファイア１１において、設定メニューだけではなく、入力の選択、ラジオ放送局の選択、ラジオ放送局のプリセット番号の選択、接続されているデバイス内のコンテンツの選択が、ひとつの汎用的なインタフェースで実現されているので、以下の効果が期待できる。
【０３０９】
第１に、表示する内容により異なるインタフェースが実装される場合に比較して、ビットマップデータ８１やGUIドライバ８２などのGUIリソースの量を抑えることができる。
【０３１０】
第２に、操作性が統一され、使いやすいインタフェースが提供される。
【０３１１】
第３に、AVアンプリファイア１１のほとんどの機能が、一覧性をもって表示できるため、複雑な機能を有する場合であっても、使用者がその機能を簡単に理解することができる。
【０３１２】
第４に、GUIの画像を半透明で表示させることによって、視聴状態を変えることなく、別のメニューの選択や、機能の設定などを簡単にまた間違えることなく行うことができる。
【０３１３】
第５に、ミュージック（Music）カテゴリの他に、Videoカテゴリー、Photoカテゴリーなど接続されるデバイス内のコンテンツの種類による分類が増えたり、FM放送、AM放送、衛星ラジオ放送などのチューナーの種類が増えても、カテゴリーを追加することで容易に対応できる。
【０３１４】
第６に、反対に、カテゴリの数を減らす場合も容易に対応できるようになる。
【０３１５】
第７に、スクロールが画面からはみ出ているようなデザインを採用したため、カテゴリやメニュー項目数を制限させることなく表示できる。
【０３１６】
以上のように、AVアンプリファイアにおいて、使用者によって通常行われる、外部入力の選択、ラジオ放送局の選択、ラジオ放送局のプリセット番号の選択、接続されたデバイス内のコンテンツの選択、設定メニューの選択などの操作をひとつの規則的な階層構造インタフェースにより実現し、操作性の向上とともに、GUIリソース（制御プログラムや表示するビットマップ）を最小限に抑えることができる。
【０３１７】
さらに、使用者が、視聴する画像や音声のソースを選択するために通常使用するインタフェースと、設定のために使用するインタフェースとをシームレスに表示することによって、操作性が向上するとともに、GUIリソースの量を最小限に抑えることができる。
【０３１８】
AVアンプリファイアにおいて、使用者が外部から入力されたあるコンテンツの再生（映像/音声出力中）の状態を確認しながら、他の入力やコンテンツ、設定メニューを参照できるようになる。
【０３１９】
また、AVアンプリファイアにおけるメニューの表示方法を使用者がカスタマイズできるようになる。
【０３２０】
このように、メニューを表示するようにした場合には、操作することができる。また、使用者の操作に応じて選択された項目である選択項目と、選択項目が属する階層である選択階層の１つ下の階層である注目階層の項目のうち、選択のために注目している項目である注目項目を含む、選択項目の子供である項目と、注目階層の１つ下の階層に属する項目であって、注目項目の子供である項目とを、階層毎の列であって、階層の順の列に配置させるように、メニューの表示を制御し、メニューの項目のうち、処理の実行を指示するための項目が使用者の操作に応じて選択された場合、選択された項目に応じた処理の実行を制御するようにした場合には、より少ないリソースで実現することができるとともに、より容易に、またより簡単に操作することができる。
【０３２１】
なお、本発明の一実施の形態としてのAVアンプリファイア１１について説明したが、AVアンプリファイア１１に限らず、本発明は、メニューにより所定の処理を実行する機器に適用することができ、例えば、据え置き式の機器、または携帯型の機器など、より具体的には、ビデオレコーダ、ビデオプレーヤ、オーディオレコーダ、オーディオプレーヤ、デジタルカメラ、または携帯電話機などに適用することができる。
【０３２２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０３２３】
図６１は、上述した一連の処理をプログラムにより実行するパーソナルコンピュータの構成の例を示すブロック図である。CPU（Central Processing Unit）２０１は、ROM（Read Only Memory）２０２、または記憶部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。
【０３２４】
CPU２０１にはまた、バス２０４を介して入出力インタフェース２０５が接続されている。入出力インタフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０３２５】
入出力インタフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。
【０３２６】
また、通信部２０９を介してプログラムを取得し、記憶部２０８に記憶してもよい。
【０３２７】
入出力インタフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０３２８】
コンピュータにインストールされ、コンピュータによって実行可能な状態とされるプログラムを格納するプログラム記録媒体は、図６１に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインタフェースである通信部２０９を介して、ローカルエリアネットワーク、インターネット、デジタル衛星放送といった、有線または無線の通信媒体を利用して行われる。
【０３２９】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０３３０】
また、本明細書において、システムとは、複数の装置により構成される装置全体を表すものである。
【０３３１】
なお、本発明の実施の形態は、上述した実施の形態に限定されるものではなく、本発明の要旨を逸脱しない範囲において種々の変更が可能である。
【図面の簡単な説明】
【０３３２】
【図１】本発明の一実施の形態のAVアンプリファイアの構成の一例を示すブロック図である。
【図２】リモートコントローラの外観を示す図である。
【図３】プログラムを実行するメインマイクロコンピュータおよびGUI表示制御マイクロコンピュータにより実現される機能の構成を示すブロック図である。
【図４】入力切り替えのためのGUIの画像の遷移を説明する図である。
【図５】GUIの画像を説明する図である。
【図６】GUIの画像を説明する図である。
【図７】GUIの画像を説明する図である。
【図８】選曲のためのGUIの画像の遷移を説明する図である。
【図９】GUIの画像を説明する図である。
【図１０】GUIの画像を説明する図である。
【図１１】GUIの画像を説明する図である。
【図１２】GUIの画像を説明する図である。
【図１３】GUIの画像を説明する図である。
【図１４】GUIの画像を説明する図である。
【図１５】GUIの画像を説明する図である。
【図１６】GUIの画像を説明する図である。
【図１７】衛星ラジオ放送の選局のためのGUIの画像の遷移を説明する図である。
【図１８】GUIの画像を説明する図である。
【図１９】GUIの画像を説明する図である。
【図２０】GUIの画像を説明する図である。
【図２１】GUIの画像を説明する図である。
【図２２】GUIの画像を説明する図である。
【図２３】カテゴリモードとプリセットモードとを切り替える場合のGUIの画像の遷移を説明する図である。
【図２４】GUIの画像を説明する図である。
【図２５】GUIの画像を説明する図である。
【図２６】GUIの画像を説明する図である。
【図２７】GUIの画像を説明する図である。
【図２８】衛星ラジオ放送の放送局の登録のためのGUIの画像の遷移を説明する図である。
【図２９】GUIの画像を説明する図である。
【図３０】GUIの画像を説明する図である。
【図３１】GUIの画像を説明する図である。
【図３２】GUIの画像を説明する図である。
【図３３】GUIの画像を説明する図である。
【図３４】アプリケーションプログラムの起動の処理のためのGUIの画像の遷移を説明する図である。
【図３５】GUIの画像を説明する図である。
【図３６】GUIの画像を説明する図である。
【図３７】GUIの画像を説明する図である。
【図３８】GUIの画像を説明する図である。
【図３９】GUIの画像を説明する図である。
【図４０】GUIの画像を説明する図である。
【図４１】GUIの画像を説明する図である。
【図４２】パラメータの設定の処理のためのGUIの画像の遷移を説明する図である。
【図４３】GUIの画像を説明する図である。
【図４４】GUIの画像を説明する図である。
【図４５】GUIの画像を説明する図である。
【図４６】GUIの画像を説明する図である。
【図４７】GUIの画像を説明する図である。
【図４８】GUIの画像を説明する図である。
【図４９】GUIの画像を説明する図である。
【図５０】GUIの画像を説明する図である。
【図５１】GUIの画像を説明する図である。
【図５２】GUIの画像における、メニューの項目の配置を説明する図である。
【図５３】GUIの画像における、メニューの項目の配置を定めるための情報を示す図である。
【図５４】キーの操作の受付の処理を説明するフローチャートである。
【図５５】下位階層への遷移処理を説明するフローチャートである。
【図５６】横スクロール処理を説明するフローチャートである。
【図５７】上位階層への遷移処理の詳細を説明するフローチャートである。
【図５８】リスト管理情報更新処理の詳細を説明するフローチャートである。
【図５９】縦スクロール処理の詳細を説明するフローチャートである。
【図６０】各アイテムの移動距離設定処理の詳細を説明するフローチャートである。
【図６１】パーソナルコンピュータの構成の例を示すブロック図である。
【符号の説明】
【０３３３】
２１−１乃至２１−ｎ  入力端子，  ２２  セレクタ，  ２４  セレクタ，  ２５−１乃至２５−ｍ  入力端子，  ２６  セレクタ，  ２７  チューナ，  ２９−１乃至２９−ｐ  入力端子，  ３０  セレクタ，  ３２  セレクタ，  ３３−１乃至３３−ｑ  入力端子，  ３４  セレクタ，  ３６  メインマイクロコンピュータ，  ３７  GUI表示制御マイクロコンピュータ，  ３８  操作入力部，  ３９  表示部，  ４０  媒体，  ４２  外部メモリブロック，  ４３  GUIブロック，  ６１  内蔵ROM，  ６２  内蔵RAM，  ６３  内蔵ROM，  ６４  内蔵RAM，  ６７  リモートコントローラ，  ９１乃至９７  キー，  １０１  表示制御部，  １０２  実行制御部，  ２０１  ＣＰＵ，  ２０２  ROM，  ２０３  RAM，  ２０８  記憶部，  ２１１  リムーバブルメディア
【図１】
2008071060.tif 000003
【図２】
2008071060.tif 000004
【図３】
2008071060.tif 000005
【図４】
2008071060.tif 000006
【図５】
2008071060.tif 000007
【図６】
2008071060.tif 000008
【図７】
2008071060.tif 000009
【図８】
2008071060.tif 000010
【図９】
2008071060.tif 000011
【図１０】
2008071060.tif 000012
【図１１】
2008071060.tif 000013
【図１２】
2008071060.tif 000014
【図１３】
2008071060.tif 000015
【図１４】
2008071060.tif 000016
【図１５】
2008071060.tif 000017
【図１６】
2008071060.tif 000018
【図１７】
2008071060.tif 000019
【図１８】
2008071060.tif 000020
【図１９】
2008071060.tif 000021
【図２０】
2008071060.tif 000022
【図２１】
2008071060.tif 000023
【図２２】
2008071060.tif 000024
【図２３】
2008071060.tif 000025
【図２４】
2008071060.tif 000026
【図２５】
2008071060.tif 000027
【図２６】
2008071060.tif 000028
【図２７】
2008071060.tif 000029
【図２８】
2008071060.tif 000030
【図２９】
2008071060.tif 000031
【図３０】
2008071060.tif 000032
【図３１】
2008071060.tif 000033
【図３２】
2008071060.tif 000034
【図３３】
2008071060.tif 000035
【図３４】
2008071060.tif 000036
【図３５】
2008071060.tif 000037
【図３６】
2008071060.tif 000038
【図３７】
2008071060.tif 000039
【図３８】
2008071060.tif 000040
【図３９】
2008071060.tif 000041
【図４０】
2008071060.tif 000042
【図４１】
2008071060.tif 000043
【図４２】
2008071060.tif 000044
【図４３】
2008071060.tif 000045
【図４４】
2008071060.tif 000046
【図４５】
2008071060.tif 000047
【図４６】
2008071060.tif 000048
【図４７】
2008071060.tif 000049
【図４８】
2008071060.tif 000050
【図４９】
2008071060.tif 000051
【図５０】
2008071060.tif 000052
【図５１】
2008071060.tif 000053
【図５２】
2008071060.tif 000054
【図５３】
2008071060.tif 000055
【図５４】
2008071060.tif 000056
【図５５】
2008071060.tif 000057
【図５６】
2008071060.tif 000058
【図５７】
2008071060.tif 000059
【図５８】
2008071060.tif 000060
【図５９】
2008071060.tif 000061
【図６０】
2008071060.tif 000062
【図６１】
2008071060.tif 000063